(57)【要約】【課題】本発明は、制御基板６０とケース４０との組付け性を向上することができる電源制御装置３２、スロットマシン１０、及び電源制御装置３２の組付け方法を提供することを目的とする。【解決手段】第１電気部品６４を実装したスロットマシン１０における制御基板６０と、所定の間隔を隔てて対向配置した制御基板６０の装着を許容する右側面部４７を有する略ボックス状のケース４０とで構成した電源制御装置３２であって、対向配置した右側面部４７に、制御基板６０に向かって伸びるスペーサ４７ａを備えるとともに、制御基板６０におけるスペーサ４７ａに対応する位置に、制御基板６０及び右側面部４７が対向する左右方向Ｙと交差する挿入方向からスペーサ４７ａの挿入を許容する挿入口７６ａを有するとともに嵌合を許容する断面略凹状の突起部７６を備えたことを特徴とする。【選択図】図７
2015080690.tif 000002
【特許請求の範囲】
【請求項１】
電気部品を実装した遊技機における制御基板と、
所定の間隔を隔てて対向配置した前記制御基板の装着を許容する基板取付部を有する略ボックス状の基板収納箱とで構成した制御装置であって、
対向配置した前記制御基板及び前記基板取付部の一方に、
他方に向かって伸びるスペーサを備えるとともに、
他方における前記スペーサに対応する位置に、
前記制御基板及び前記基板取付部が対向する対向方向と交差する挿入方向からの前記スペーサの挿入を許容する挿入口を有するとともに嵌合を許容する断面略凹状の突起部を備えた
制御装置。
【請求項２】
前記制御基板における前記基板取付部と対向する面を覆うように前記制御基板に装着するカバー体と、前記制御基板とで基板ユニットを構成し、
前記基板取付部を略平板状に形成するとともに、
前記基板収納箱における前記基板取付部の前記挿入方向の側部に、
前記制御基板の挿入を許容する挿入部を備え、
該突起部を、前記カバー体に備えるとともに、
前記スペーサを、前記基板取付部に備えた
請求項１に記載の制御装置。
【請求項３】
前記基板取付部に隣接する少なくとも１つの側面部、または／および前記基板取付部と対向する対向面部、並びに前記カバー体の一方に、所定の大きさで開口形成した開口孔を備え、
該開口孔に対して前記挿入方向に沿って嵌合する嵌合部を他方に備えた
請求項２に記載の制御装置。
【請求項４】
前記嵌合部を、前記カバー体に備え、
前記開口孔を、
前記側面部、または／および前記対向面部に備えるとともに、前記挿入方向とは逆方向の端部が開口する端部開口孔で構成した
請求項３に記載の制御装置。
【請求項５】
前記嵌合部を、
前記カバー体に連結されるとともに、前記端部開口孔の大きさと略同等の大きさで前記端部開口孔に嵌合可能に形成した嵌合本体部分と、
該嵌合本体部分における前記側面部、または／および前記対向面部の内面側に近接する位置から突出したフランジ部分とで一体形成し、
前記フランジ部分を、前記端部開口孔の大きさよりも大きい外形で形成した
請求項４に記載の制御装置。
【請求項６】
前記制御基板に、前記基板収納箱から先端が露出するように実装したコネクタを備え、
前記嵌合部に、
前記コネクタの挿通を許容するとともに保持するコネクタ開口孔を備えた
請求項４または請求項５に記載の制御装置。
【請求項７】
少なくとも２つの前記突起部を、
前記挿入方向に対して略交差する交差方向に配置した
請求項１から請求項６のいずれか１つに記載の制御装置。
【請求項８】
前記カバー体に、
前記制御基板の側部を一体的に囲繞するカバー側壁部を備えた
請求項２から請求項７のいずれか１つに記載の制御装置。
【請求項９】
請求項１から請求項８のいずれか１つに記載の制御装置を、筐体内部に配置した
遊技機。
【請求項１０】
電気部品を実装した遊技機における制御基板と、所定の間隔を隔てて対向配置した前記制御基板の装着を許容する基板取付部を有する略ボックス状の基板収納箱とで構成した制御装置の組付け方法であって、
対向配置した前記制御基板及び前記基板取付部の一方に備えるとともに、他方に向かって伸びるスペーサに対して、
他方における前記スペーサに対応する位置に備えた断面略凹状の突起部の挿入口を、前記制御基板及び前記基板取付部が対向する対向方向と交差する挿入方向から、挿入するとともに嵌合する
制御装置の組付け方法。
【発明の詳細な説明】
【技術分野】
【０００１】
この発明は、例えば遊技機において、外部から供給された電力を制御する電源制御装置のような制御装置、遊技機、及び制御装置の組付け方法に関する。
【背景技術】
【０００２】
複数の図柄が描かれたリールを回転させるとともに、適宜のタイミングで停止させることで、利用者が遊技を楽しむスロットマシンのような遊技機は、電気部品を実装した制御基板を内部に収容した複数の制御装置によって、リールの回転駆動や回転停止、あるいは各種演出を制御している。
【０００３】
このような遊技機における制御装置として、外部から電力の供給を受付けるとともに、別の制御装置に対して供給する電力を制御する電源制御装置がある。この電源制御装置は、抵抗器や変圧器などの電気部品や電磁シールドなどを実装した制御基板を、略ボックス状の基板収納箱に収容、固定して構成している。
【０００４】
例えば、特許文献１に記載の遊技機は、電源制御基板の一方の面と対向する部分に透明な窓蓋を設けたケースに、電子部品が実装された電源制御基板を収容、固定して構成した電源制御装置を筐体内部に配置している。
【０００５】
ところで、基板収納箱に制御基板を組付ける際、制御基板は、基板収納箱に設けたスペーサを介して固定している。これにより、制御装置は、制御基板の回路パターンや電気部品の端子が基板収納箱の内面に直接接触して短絡することを防止している。
【０００６】
しかしながら、特許文献１に記載の遊技機のように、制御基板を載置する面と対向する面が開口した略ボックス状の基板収納箱の場合、開口側から制御基板を載置すると、制御基板によってスペーサが隠れるため、スペーサと制御基板との相対位置が確認し難く、組付け性が低下するという問題があった。
【先行技術文献】
【特許文献】
【０００７】
【特許文献１】特開２００６−１９７９９１号公報
【発明の概要】
【発明が解決しようとする課題】
【０００８】
本発明は、上述の問題に鑑み、制御基板と基板収納箱との組付け性を向上することができる制御装置、遊技機、及び制御装置の組付け方法を提供することを目的とする。
【課題を解決するための手段】
【０００９】
この発明は、電気部品を実装した遊技機における制御基板と、所定の間隔を隔てて対向配置した前記制御基板の装着を許容する基板取付部を有する略ボックス状の基板収納箱とで構成した制御装置、及び制御装置の組付け方法であって、対向配置した前記制御基板及び前記基板取付部の一方に、他方に向かって伸びるスペーサを備えるとともに、他方における前記スペーサに対応する位置に、前記制御基板及び前記基板取付部が対向する対向方向と交差する挿入方向からの前記スペーサの挿入を許容する挿入口を有するとともに嵌合を許容する断面略凹状の突起部を備えたことを特徴とする。
【００１０】
上記制御基板は、電力を制御する基板、遊技を制御する基板、遊技にかかる演出を制御する基板、あるいは液晶画面などを制御する基板などとすることができる。  
上記断面略凹状の突起部は、断面略Ｙ字状、断面略Ｖ字状、断面視略Ｕ字状、断面略Ｊ字状、断面Ｃ字状、あるいは断面略コ字状などであって、スペーサに対して嵌合する、あるいは嵌合係止する形状とすることができる。
【００１１】
この発明により、制御基板と基板収納箱との組付け性を向上することができる。  
具体的には、基板収納箱に対して制御基板を挿入方向に沿って挿入すると、突起部が挿入口を介してスペーサに嵌合するため、制御装置、及び制御装置の組付け方法は、基板収納箱に対する制御基板の相対位置を容易に合わせることができる。
【００１２】
これにより、制御装置、及び制御装置の組付け方法は、基板収納箱に対する制御基板の位置決めを容易にすることができる。このため、制御装置、及び制御装置の組付け方法は、スペーサの位置が視認できない場合であっても、基板収納箱の基板取付部に対する制御基板の装着を容易にすることができる。
【００１３】
さらに、例えば、基板取付部に設けたスペーサを介して、基板取付部と制御基板とをネジで締結する構成の場合、ネジが螺合するスペーサに突起部を嵌合させることにより、制御装置、及び制御装置の組付け方法は、制御基板に設けたネジの挿通を許容する挿通孔と、スペーサに設けたネジが螺合するネジ孔とを容易に略一致させることができる。このため、制御装置、及び制御装置の組付け方法は、ネジを螺合するスペーサと、突起部を嵌合させるスペーサとを、別々に設けることを不要にできる。
【００１４】
加えて、突起部によって基板収納箱に対する制御基板の位置決めが容易であるため、例えば、制御基板に不具合が生じた際、制御装置、及び制御装置の組付け方法は、制御基板の交換を容易にすることができる。  
従って、制御装置、及び制御装置の組付け方法は、突起部とスペーサとによって、制御基板と基板収納箱との組付け性を向上することができる。
【００１５】
この発明の態様として、前記制御基板における前記基板取付部と対向する面を覆うように前記制御基板に装着するカバー体と、前記制御基板とで基板ユニットを構成し、前記基板取付部を略平板状に形成するとともに、前記基板収納箱における前記基板取付部の前記挿入方向の側部に、前記制御基板の挿入を許容する挿入部を備え、該突起部を、前記カバー体に備えるとともに、前記スペーサを、前記基板取付部に備えることができる。
【００１６】
上記カバー体は、絶縁性を有する合成樹脂製やセラミック製のカバー体、あるいは導電性を有する金属製のカバー体などとすることができる。さらに、カバー体は、制御基板における側部を囲繞して基板取付部と対向する面を覆う形状、制御基板における基板取付部と対向する面に当接して覆う形状、あるいは所定の間隔を隔てるために設けた略柱状の脚部を介して対向する面を覆う形状とすることができる。
【００１７】
この発明により、制御装置は、制御基板における基板取付部と対向する面が損傷することを防止できる。  
より詳しくは、例えば、カバー体がない状態で、スペーサと制御基板との相対位置を合わせる際、制御基板における基板取付部と対向する面と、視認が困難なスペーサとが接触することで、回路パターンなどが損傷するおそれがある。
【００１８】
これに対して、制御基板とカバー体とで基板ユニットを構成することにより、制御装置は、制御基板における基板取付部と対向する面をカバー体で保護することができる。これにより、挿入部から挿入方向に沿って基板ユニットを挿入しても、制御装置は、制御基板における基板取付部と対向する面がスペーサと直接的に接触することを防止できる。
【００１９】
このため、制御装置は、制御基板における基板取付部と対向する面の回路パターンなどの損傷を防止することができる。  
従って、制御装置は、制御基板の損傷を防止するとともに、制御基板と基板収納箱との組付け性を向上することができる。
【００２０】
また、この発明の態様として、前記基板取付部に隣接する少なくとも１つの側面部、または／および前記基板取付部と対向する対向面部、並びに前記カバー体の一方に、所定の大きさで開口形成した開口孔を備え、該開口孔に対して前記挿入方向に沿って嵌合する嵌合部を他方に備えることができる。
【００２１】
上記側面部は、例えば、基板収納箱における側面部分を基板取付部とした場合、基板収納箱における上面部分、底面部分、前面部分、あるいは背面部分とすることができる。
【００２２】
この発明により、制御装置は、開口孔と嵌合部との嵌合によって、基板収納箱と基板ユニットの位置決めを行うことができる。さらに、例えば、側面部に開口孔を形成した場合、開口孔と嵌合部との嵌合によって、対向方向への基板ユニットの移動を規制することができる。あるいは、対向面部に開口孔を形成した場合、基板取付部における面内方向への基板ユニットの移動を規制することができる。
【００２３】
これにより、制御装置は、制御基板と基板収納箱との相対位置のズレを小さくするとともに、基板ユニットと基板取付部との位置決めをより容易にすることができる。  
従って、制御装置は、突起部及びスペーサによる位置決めに加えて、開口孔及び嵌合部による位置決めによって、制御基板と基板収納箱との組付け性をさらに向上することができる。
【００２４】
また、この発明の態様として、前記嵌合部を、前記カバー体に備え、前記開口孔を、前記側面部、または／および前記対向面部に備えるとともに、前記挿入方向とは逆方向の端部が開口する端部開口孔で構成することができる。
【００２５】
この発明により、側面部、または／および対向面部が、スペーサが配置された基板取付部と異なる仮想平面上に位置するため、制御装置は、基板収納箱と、基板ユニットとを多面で位置決めすることができる。
【００２６】
さらに、開口孔を端部開口孔としたことにより、嵌合部と端部開口孔とが嵌合したのち、突起部とスペーサとが嵌合するため、制御装置は、嵌合部と端部開口孔とが、突起部とスペーサとの挿入ガイドとなるとともに、基板ユニットの移動を規制することができる。
【００２７】
これにより、制御装置は、基板ユニットと基板収納箱との位置決めをさらに容易にすることができる。  
従って、制御装置は、開口孔を端部開口孔で構成したことにより、制御基板と基板収納箱との組付け性をさらに向上することができる。
【００２８】
また、この発明の態様として、前記嵌合部を、前記カバー体に連結されるとともに、前記端部開口孔の大きさと略同等の大きさで前記端部開口孔に嵌合可能に形成した嵌合本体部分と、該嵌合本体部分における前記側面部、または／および前記対向面部の内面側に近接する位置から突出したフランジ部分とで一体形成し、前記フランジ部分を、前記端部開口孔の大きさよりも大きい外形で形成することができる。
【００２９】
この発明により、制御装置は、側面部または／および対向面の内面とフランジ部分が対面するように、フランジ部分の位置を合せながら基板ユニットを挿入することができる。つまり、視認が容易なフランジ部分によって基板ユニットと基板収納箱との相対位置を合わせることができる。これにより、制御装置は、嵌合部と開口孔との位置合わせによって、視認困難なスペーサと突起部との位置決めをより容易にすることができる。
【００３０】
さらに、フランジ部分は、基板収納箱に対する基板ユニットの相対移動を規制することができる。このため、制御装置は、嵌合部及び突起部によって、基板ユニットと基板収納箱との相対位置をより容易に、かつ確実に合わせることができる。  
従って、制御装置は、フランジ部分を有する嵌合部によって、基板ユニットと基板収納箱との組付け性をさらに向上することができる。
【００３１】
また、この発明の態様として、前記制御基板に、前記基板収納箱から先端が露出するように実装したコネクタを備え、前記嵌合部に、前記コネクタの挿通を許容するとともに保持するコネクタ開口孔を備えることができる。  
この発明により、嵌合部は、コネクタを保持して外部への導出する役割と、基板収納箱と基板ユニットとの位置決めを行う役割とを兼ね備えることができる。
【００３２】
さらに、制御基板に実装したコネクタを保持しているため、コネクタに対して意図しない外力が加わった場合であっても、カバー体は、コネクタが損傷することを嵌合部によって防止できる。  
従って、制御装置は、コネクタ開口孔を有する嵌合部によって、制御基板と基板収納箱との組付け性を損なうことなく、コネクタを保護しながら外部に導出することができる。
【００３３】
また、この発明の態様として、少なくとも２つの前記突起部を、前記挿入方向に対して略交差する交差方向に配置することができる。  
この発明により、制御装置は、基板ユニットと基板収納箱との位置決めをより確実に行うことができる。
【００３４】
より詳しくは、複数のスペーサの１つに対して１つの突起部で位置決めを行う場合、突起部が嵌合したスペーサを軸にして制御基板が回転するおそれがある。このため、例えば、制御基板と基板取付部とをネジで締結する場合、制御基板とスペーサとの相対位置が合わず、組付け性が低下するおそれがある。
【００３５】
これに対して、交差方向に少なくとも２つの突起部を配置することにより、制御装置は、スペーサを軸にして制御基板が回転することを防止できる。さらに、少なくとも２つの突起部がスペーサと嵌合することによって、制御装置は、基板収納箱に対して制御基板が交差方向へ移動することを規制できる。
【００３６】
これにより、制御装置は、制御基板と基板収納箱との位置決めをより確実に行うことができる。  
従って、制御装置は、少なくとも２カ所で位置決めすることで、制御基板と基板収納箱との組付け性をより向上することができる。
【００３７】
また、この発明の態様として、前記カバー体に、前記制御基板の側部を一体的に囲繞するカバー側壁部を備えることができる。  
この発明により、カバー体は、基板取付部と対向する制御基板の面を隙間なく覆うことができる。このため、基板ユニットは、対面している制御基板とカバー体との間に、埃や異物などの侵入を阻止することができる。これにより、基板ユニットは、埃などの付着による制御基板の短絡を防止することができる。
【００３８】
さらに、例えば、制御基板における基板取付部と対向する面に実装した電気部品が脱落しても、基板ユニットは、カバー体と制御基板とで囲われた空間内に、電気部品を留まらせることができる。このため、例えば、基板ユニットを軽く揺するだけで異音が発生し、電気部品が脱落したことを容易に検出することができる。
【００３９】
これにより、基板ユニットは、例えば輸送したとしても、制御基板の損傷を防止するとともに、脱落などの不具合を容易に検出できる。このため、制御装置は、制御基板とカバー体とを組付ける工程、及び基板収納箱と基板ユニットとを組付ける工程を、異なる場所で行うことができる。  
従って、制御装置は、カバー側壁部を備えたカバー体によって、制御基板の損傷をより確実に防止するとともに、損傷した制御基板が基板収納箱に組付けられることを確実に防止できる。
【００４０】
また、この発明は、上述した制御装置を、筐体内部に配置した遊技機であることを特徴とする。  
この発明により、制御基板と基板収納箱との組付け性を向上した制御装置によって、組付け性を向上するとともに、安定した遊技を行うことができる遊技機を構成することができる。
【発明の効果】
【００４１】
本発明により、制御基板と基板収納箱との組付け性を向上できる制御装置、遊技機、及び制御装置の組付け方法を提供することができる。
【図面の簡単な説明】
【００４２】
【図１】スロットマシンにおける前方上方からの外観を示す外観斜視図。
【図２】電源制御装置における前方上方からの外観を示す外観斜視図。
【図３】電源制御装置における後方上方からの外観を示す外観斜視図。
【図４】ケースにおける構成要素の外観を示す分解斜視図。
【図５】ケース本体と基板ユニットとを分解した外観を示す分解斜視図。
【図６】基板ユニットにおける構成要素の外観を示す分解斜視図。
【図７】基板ユニットにおける構成要素の外観を示す分解斜視図。
【図８】基板ユニットにおける右側面視の外観を示す右側面図。
【図９】図８中のＡ−Ａ矢視断面図。
【図１０】ケース本体に装着した状態におけるコネクタ近傍の断面を示す縦断面図。
【図１１】ケースに基板ユニットを装着する第１工程を説明する説明図。
【図１２】ケースに基板ユニットを装着する第２工程を説明する説明図。
【図１３】ケースに基板ユニットを装着した状態を説明する説明図。
【図１４】別の突起部の形状を説明する説明図。
【発明を実施するための形態】
【００４３】
この発明の一実施形態を以下図面と共に説明する。  
本実施形態では、一例として遊技ホールに設置されるスロットマシン１０における電源制御装置３２について説明する。
【００４４】
なお、図１はスロットマシン１０における前方上方からの外観斜視図を示している。  
また、図１中において、矢印Ｘは前後方向を示し（以下「前後方向Ｘ」とする）、矢印Ｙは左右方向を示している（以下、「左右方向Ｙ」とする）。さらに、図１中の上側を上方とし、図１中の下側を下方とする。  
また、前後方向Ｘにおける前方向を前方向Ｘｆとし、後方向を後方向Ｘｂとし、左右方向Ｙにおける右方向を右方向Ｙｒとし、左方向を左方向Ｙｌとする。
【００４５】
まず、スロットマシン１０は、図１に示すように、正面視略矩形の箱状体であって、利用者と対面する前扉２０と、前方向Ｘｆ側が開口した筐体本体３０とで構成している。なお、前扉２０は、筐体本体３０の前方左端を回転中心にして開閉可能に取り付けられている。
【００４６】
前扉２０における利用者と対面する表面部分は、液晶モニタ２１、２つの上部スピーカー２２、表示窓２３、操作部２４、パネル部２５、２つの下部スピーカー２６、メダル排出口２７、及び受け皿２８で構成している。
【００４７】
より詳しくは、液晶モニタ２１は、前扉２０の上部中央に配置され、遊技中の各種演出画面や操作の案内画面を表示する機能を有している。この液晶モニタ２１は、前扉２０の裏面部分に配置された液晶制御装置（図示省略）によって制御される。  
なお、液晶制御装置は、電気的に接続した後述するサブ制御装置からの制御信号に基づいて、遊技に応じた画面情報を液晶モニタ２１に出力する機能を有している。
【００４８】
上部スピーカー２２は、液晶モニタ２１の左右両端に配置され、後述するメイン制御装置から出力された音声信号を出力する機能を有している。  
表示窓２３は、前扉２０の略中央に配置され、筐体本体３０の略中央に配置したリールユニット３１の一部分やクレジット枚数の表示などを視認可能な透明部分（図示省略）と、入賞ラインなどをプリントした不透明部分（図示省略）とを一体にして構成している。なお、前扉２０の裏面部分における表示窓２３の周囲には、裏面から表示窓２３を照明するバックライトなどが配置されている。
【００４９】
操作部２４は、表示窓２３の下方において前方に膨出した部分に配置されたメダル投入口２４ａ、入力ボタンユニット２４ｂ、ＭＡＸＢＥＴボタン２４ｃ、投入精算ボタンユニット２４ｄ、スタートレバー２４ｅ、３つのストップボタン２４ｆで構成している。なお、操作部２４は、後述するメイン制御装置と電気的に接続している。
【００５０】
メダル投入口２４ａは、操作部２４の上面右端に配置され、利用者によるメダルの投入を受付ける機能を有している。なお、前扉２０の裏面部分には、メダル投入口２４ａに接続されるとともに、投入されたメダルを検出する機能と、メダルを選別する機能と、選別したメダルに応じて後述するメダル払出装置、あるいはメダル排出口２７に排出する機能とを有するメダルセレクター（図示省略）を配置している。
【００５１】
入力ボタンユニット２４ｂは、操作部２４の上面略中央に配置され、液晶モニタ２１に表示された画面の指示に沿って利用者による選択押下操作を許容する選択ボタン（図示省略）と、チャンスボタン（図示省略）とで構成している。  
ＭＡＸＢＥＴボタン２４ｃは、入力ボタンユニット２４ｂの左側に配置され、一回の遊技におけるメダルの最大賭け数を、獲得したメダル枚数をデータとして蓄積しているクレジットからセットすることを所望する利用者の操作を受付ける機能を有している。
【００５２】
投入精算ボタンユニット２４ｄは、操作部２４の上面左端に配置され、利用者による押下操作によって、一回の遊技におけるメダルの賭け数を、クレジットから一枚ずつセットする投入ボタン（図示省略）と、クレジットに貯留されているメダルを精算して排出する精算ボタン（図示省略）とで構成している。  
スタートレバー２４ｅは、操作部２４の前面左端に配置され、リールユニット３１を構成する３つのリールの回転開始を所望する利用者の操作を受付ける機能を有している。
【００５３】
３つのストップボタン２４ｆは、操作部２４の前面略中央に並置され、リールユニット３１の３つのリールにそれぞれ対応している。このストップボタン２４ｆは、対応するリールの回転停止を所望する利用者の操作を受付ける機能を有している。
【００５４】
パネル部２５は、操作部２４の下方に配置され、スロットマシン１０の機種名を示すイラストなどのパネルと、パネルを照明するバックライトなどで構成している。  
下部スピーカー２６は、パネル部２５の下方における左右両端に配置され、後述するサブ制御装置から出力された音声信号を出力する機能を有している。
【００５５】
メダル排出口２７は、パネル部２５の下方における略中央に配置され、前扉２０の裏面に配置したメダルセレクター、あるいは後述する筐体本体３０に配置したメダル払出装置メダルから搬送されたメダルを受け皿２８に排出するように構成している。  
受け皿２８は、前扉２０の下部において前方に向けて配置され、メダル排出口２７から排出されたメダルを貯留可能に構成している。
【００５６】
一方、筐体本体３０の内部には、詳細な図示を省略するが、メイン制御装置、サブ制御装置、リールユニット３１、メダル払出装置、補助タンク、及び電源制御装置３２などを配置している。
【００５７】
より詳しくは、メイン制御装置は、操作部２４やリールユニット３１などの各種機器と電気的に接続され、スタートレバー２４ｅからの入力信号によって抽選する機能、ストップボタン２４ｆからの入力信号によってリールユニット３１の回転、停止を制御する機能などを有している。さらに、メイン制御装置は、電気的に接続された上部スピーカー２２及び下部スピーカー２６へ音声信号を出力する機能を有している。
【００５８】
サブ制御装置は、メイン制御装置及び各種機器と電気的に接続されている。このサブ制御装置は、メイン制御装置からの入力信号により、各種演出動作を決定して、液晶制御装置への制御信号を出力する機能、及び各バックライトなどを制御する機能を有している。
【００５９】
リールユニット３１は、複数の図柄がプリントされたリールを３つ並置するとともに、電気的に接続されたメイン制御装置による制御によって、それぞれ独立して回転、停止する機能を有している。  
メダル払出装置は、メダル投入口２４ａから投入されたメダルを貯留する機能と、遊技の進行に応じてメダル排出口２７を介してメダルを排出する機能とを有している。
【００６０】
補助タンクは、メダル払出装置に隣接して配置され、メダル払出装置から溢れたメダルを貯留する機能を有している。  
電源制御装置３２は、外部から供給される電力を制御する機能と、上述した各部に電力を供給する機能とを有している。
【００６１】
このような構成のスロットマシン１０は、利用者が一回の遊技における最大賭け数のメダルをメダル投入口２４ａに投入する、あるいはＭＡＸＢＥＴボタン２４ｃを押下操作して、一回の遊技におけるメダルの最大賭け数をクレジットからセットし、スタートレバー２４ｅを操作すると、３つのリールが回転開始する。
【００６２】
その後、利用者が、３つのストップボタン２４ｆを任意のタイミングで押下することで、ストップボタン２４ｆに対応したリールが停止する。リールにプリントされた図柄が揃えば、図柄に応じてメダルがクレジットに貯留される、あるいはメダル排出口２７から排出される。このようにして、利用者は、スロットマシン１０における遊技を楽しむ。
【００６３】
引続き、上述した電源制御装置３２について、図２から図１０を用いて詳しく説明する。  
なお、図２は電源制御装置３２における前方上方からの外観斜視図を示し、図３は電源制御装置３２における後方上方からの外観斜視図を示し、図４はケース４０における構成要素の分解斜視図を示し、図５はケース本体４３と基板ユニット５０とを分解した分解斜視図を示している。
【００６４】
さらに、図６は基板ユニット５０における構成要素の分解斜視図を示し、図７は基板ユニット５０における構成要素の分解斜視図を示し、図８は基板ユニットにおける右側面視からの右側面図を示し、図９は図８中のＡ−Ａ矢視断面図を示し、図１０はケース本体４３に装着した状態におけるコネクタ６３近傍の縦断面図を示している。
【００６５】
電源制御装置３２は、図２及び図３に示すように、上下方向に長い正面視略矩形のボックス状であって、前面に電源スイッチ４１ｂが配置され、上面からコネクタ６３が露出するとともに、背面下部から電源コネクタ４６ｂが露出している。
【００６６】
より詳しくは、電源制御装置３２は、図４及び図５に示すように、ケース４０と、ケース４０の内部に固定した基板ユニット５０とで構成している。  
ケース４０は、図４に示すように、前面部分である前面パネル４１と、左側面部分である左側面パネル４２と、右側面部分、上面部分、底面部分、及び背面部分を一体形成したケース本体４３とで構成している。
【００６７】
前面パネル４１は、略平板状の平板の四辺を後方に折り返した立体形状に形成している。この前面パネル４１における折り返した上面、及び底面には、ケース本体４３に螺合するネジ１の挿通を許容するネジ挿通孔（図示省略）を形成している。
【００６８】
さらに、前面パネル４１における前面部分には、開閉可能で透明なスイッチカバー４１ａで覆われた電源スイッチ４１ｂを配置している。なお、電源スイッチ４１ｂは、複数の被覆電線の先端に設けたスイッチ用オス型コネクタ４１ｃを介して、後述する基板ユニット５０のスイッチ用メス型コネクタ６５に電気的に接続される。
【００６９】
左側面パネル４２は、略平板状の側面本体部４２ａと、側面本体部４２ａの上端から上方に延設した上方外縁部４２ｂと、前端から前方に延設した前方外縁部４２ｃとを一体にして形成している。  
側面本体部４２ａは、後述するケース本体４３における左側方の開口を閉塞可能な大きさに形成するとともに、ケース本体４３に螺合するネジ１の挿通を許容するネジ挿通孔（図示省略）を８つ形成している。
【００７０】
上方外縁部４２ｂは、側面本体部４２ａにおける前後方向Ｘの長さと略同等の長さで、上方に向けて所定の長さで延設している。この上方外縁部４２ｂには、筐体本体３０の内面に電源制御装置３２を固定するネジ（図示省略）の挿通を許容するネジ挿通孔（図示省略）を１つ開口形成している。
【００７１】
前方外縁部４２ｃは、側面本体部４２ａにおける上下方向の長さと略同等の長さで、前方に向けて所定の長さで延設している。この前方外縁部４２ｃには、筐体本体３０の内面に電源制御装置３２を固定するネジ（図示省略）の挿通を許容するネジ挿通孔（図示省略）を２つ開口形成している。
【００７２】
ケース本体４３は、図５に示すように、ケース４０の上面部分である上面部４４と、ケース４０の底面部分である底面部４５と、ケース４０の背面部分である背面部４６と、ケース４０の右側面部分である右側面部４７とを一体にして形成している。
【００７３】
上面部４４は、右側面部４７の上端から延設して形成している。この上面部４４には、前端から後方向Ｘｂに向けて開口形成した開口孔４４ａを備えている。この開口孔４４ａは、後述するコネクタ保持部７３の嵌合を許容する大きさで、前端が開口した端部開口孔形状に形成している。
【００７４】
さらに、上面部４４の左端には、左側面パネル４２と対面するとともに、ネジ１を介して左側面パネル４２の装着を許容するパネル装着部４４ｂを一体形成し、上面部４４の前端には、ネジ１を介して前面パネル４１の装着を許容する前端延設部４４ｃを一体形成している。
【００７５】
底面部４５は、右側面部４７の下端から延設して形成している。この底面部４５の左端には、左側面パネル４２と対面するとともに、ネジ１を介して左側面パネル４２の装着を許容するパネル装着部４５ａを一体形成し、底面部４５の前端には、ネジ１を介して前面パネル４１の装着を許容する前端延設部４５ｂを一体形成している。
【００７６】
背面部４６は、右側面部４７の後端から略垂直に折り曲げて形成した部分と、底面部４５の後端から略垂直に折り曲げて形成した部分とを組み合わせて形成している。さらに、背面部４６の左端には、左側面パネル４２と対面するとともに、ネジ１を介して左側面パネル４２の装着を許容するパネル装着部４６ａを一体形成している。
【００７７】
加えて、背面部４６における下方は、電源ケーブルの接続を許容する電源コネクタ４６ｂの先端を外部に露出させて装着可能に構成している。なお、電源コネクタ４６ｂは、複数の被覆電線の先端に設けた電源用オス型コネクタ４６ｃを介して、後述する基板ユニット５０の電源用メス型コネクタ６６に電気的に接続される。
【００７８】
右側面部４７は、所定の間隔を隔てて基板ユニット５０の取付けを許容する略平板状に形成している。この右側面部４７には、後述する基板ユニット５０の第１挿通孔６１ａに対応する位置に、後述するネジ２の螺合を許容する略柱状のスペーサ４７ａを５つ配置している（図１１参照）。
【００７９】
このスペーサ４７ａは、右側面部４７に予め開口形成した穴に対して圧入嵌合することで、右側面部４７との相対回転を不可にして一体的に組み付けている。  
このように上面部４４、底面部４５、背面部４６、及び右側面部４７で一体的に構成したケース本体４３は、左方向Ｙｌ、及び前方向Ｘｆが開口した形状に形成している。なお、ケース本体４３における前方向Ｘｆの開口を、基板ユニット５０の挿入を許容する挿入部４３ａとする。
【００８０】
基板ユニット５０は、図６及び図７に示すように、電子部品を実装した制御基板６０と、制御基板６０を覆うカバー体７０とで構成している。  
制御基板６０は、図６及び図７に示すように、回路パターン（図示省略）やスルーホール（図示省略）などが形成されたプリント配線基板６１と、プリント配線基板６１に実装したコネクタ６３や電気部品などで構成している。
【００８１】
より詳しくは、プリント配線基板６１は、所定の厚みを有する側面視略矩形の平板であって、前方下端及び後方下端の隅部を略矩形に切断した形状に形成している。そして、左右方向Ｙにおいて、プリント配線基板６１における左側面パネル４２と対面する第１の面６２に、コネクタ６３、第１電気部品６４、スイッチ用メス型コネクタ６５、電源用メス型コネクタ６６、及び放熱板６７などを実装し、プリント配線基板６１における右側面部４７と対面する第２の面６８に、第２電気部品６９を実装して、制御基板６０を構成している。
【００８２】
さらに、制御基板６０には、スペーサ４７ａに螺合するネジ２の挿通を許容する５つの第１挿通孔６１ａと、カバー体７０に螺合するネジ３の挿通を許容する３つの第２挿通孔６１ｂを形成している。
【００８３】
第１挿通孔６１ａは、上下方向の上端近傍において、前後方向Ｘの略中央よりやや前方及び後端近傍にそれぞれ１つずつ並置し、上下方向の略中央において、前後方向Ｘの略中央に１つ配置し、上下方向の略中央より下方において、前後方向Ｘの後端近傍に１つ配置し、上下方向の下端近傍において前後方向の前端近傍に１つ配置している。
【００８４】
一方、第２挿通孔６１ｂは、上下方向の上端近傍よりやや下方において、前後方向Ｘの前端に１つ配置し、上端後方近傍の第１挿通孔６１ａの下方に１つ配置し、上下方向の下端において、前後方向Ｘの後端に１つ配置している。
【００８５】
コネクタ６３は、プリント配線基板６１における上端及び前端近傍において、内部に保持した複数の端子を露出させる開口を上方に向けて配置している。なお、端子の他端は、プリント配線基板６１に設けたスルーホールを介して第２の面６８にその先端が露出するとともに、第２の面６８にハンダ付けされている。
【００８６】
第１電気部品６４は、電解コンデンサや、抵抗器、トランス、半導体ＩＣなどである。なお、第１電気部品６４は、スルーホールを介して第２の面６８に突出した足を、第２の面６８に設けた回路パターンにハンダ付けによって導通可能に接続している。  
第２電気部品６９は、左右方向Ｙにおける厚みが薄い半導体ＩＣなどである。なお、第２電気部品６９は、第２の面６８に設けた回路パターンにハンダ付けによる表面実装によって導通可能に接続している。
【００８７】
第１電気部品６４は、電解コンデンサや、抵抗器、トランス、半導体ＩＣなどである。  
第２電気部品６９は、左右方向Ｙにおける厚みが薄い半導体ＩＣなどである。
【００８８】
カバー体７０は、図６から図１０に示すように、透過性の合成樹脂で形成され、第２の面６８に対して、第２電気部品６９が接触しない間隔を隔てて対向する略平板状のカバー平面部７１と、カバー平面部７１の外縁から制御基板６０側へ延設したカバー側壁部７２と、カバー平面部７１から制御基板６０側へ延設したコネクタ保持部７３とを一体にして形成している。
【００８９】
カバー平面部７１は、平面視において、制御基板６０における第２の面６８と略同等の形状、及び大きさに形成している。さらに、カバー平面部７１には、第１挿通孔６１ａに対応する位置において、制御基板６０に向けて略円柱状に立設するとともに、ネジ２の挿通を許容する５つのネジ挿通部７４を形成している。
【００９０】
加えて、カバー平面部７１には、第２挿通孔６１ｂに対応する位置において、左右方向Ｙに向けて両面から略円柱状に立設するとともに、ネジ３の螺合を許容する３つのネジ取付部７５を形成している。  
カバー側壁部７２は、図９に示すように、プリント配線基板６１の側部６１ｃを全て囲繞するように、カバー平面部７１の外縁に沿って形成している。
【００９１】
また、左右方向Ｙにおいて、右側面部４７と対面するカバー平面部７１の面には、図７及び図８に示すように、３つの第１挿通孔６１ａに対応する位置に、外方に向けて突出した３つの突起部７６を形成している。
【００９２】
より詳しくは、突起部７６は、上下方向の上端近傍で前後方向Ｘの略中央よりやや前方に位置する第１挿通孔６１ａ、上下方向の略中央より下方で後端近傍に位置する第１挿通孔６１ａ、上下方向の下端近傍で前端近傍に位置する第１挿通孔６１ａに対応する位置に形成している。つまり、突起部７６は、上下方向及び前後方向Ｘにおいて、それぞれ異なる位置に配置している。
【００９３】
この突起部７６は、図８及び図１０に示すように、後方向Ｘｂ側が開口した断面略Ｙ字状に形成している。突起部７６は、後方向Ｘｂ側の開口をスペーサ４７ａの挿入を許容する挿入口７６ａとして、上下方向で対向する面でスペーサ４７ａを挟持するように形成している（図１３参照）。なお、突起部７６は、スペーサ４７ａの軸方向長さより短い長さで、カバー平面部７１から突出して形成している。
【００９４】
コネクタ保持部７３は、図７及び図１０に示すように、カバー平面部７１の上端前方近傍において、コネクタ６３に対応する位置に形成している。このコネクタ保持部７３は、コネクタ６３の外周を囲繞する囲繞部７３ａと、囲繞部７３ａの外周面から外方に向けて突出したフランジ部７３ｂと、囲繞部７３ａとカバー平面部７１とを連結して支持する支持部７３ｃを一体構成している。
【００９５】
囲繞部７３ａは、上面部４４の開口孔４４ａと略同等で嵌合可能な大きさの外形に形成している。さらに、囲繞部７３ａは、コネクタ６３の外形と略同等の大きさで開口形成するとともに、コネクタ６３を保持するコネクタ開口孔７３ｄを備えている。
【００９６】
フランジ部７３ｂは、囲繞部７３ａにおける上面部４４の内面に近接する位置において、開口孔４４ａの外形より大きい大きさの略平板状に形成している。  
支持部７３ｃは、上下方向において、フランジ部７３ｂと略同位置に形成するとともに、フランジ部７３ｂと一体的に形成している。
【００９７】
以上のような構成の電源制御装置３２において、制御基板６０とカバー体７０とを組付ける工程、及び基板ユニット５０とケース４０とを組付ける工程について、図１１から図１３を用いて詳しく説明する。
【００９８】
なお、図１１はケース４０に基板ユニット５０を装着する第１工程を説明する説明図を示し、図１２はケース４０に基板ユニット５０を装着する第２工程を説明する説明図を示し、図１３はケース４０に基板ユニット５０を装着した状態を説明する説明図を示している。
【００９９】
まず、制御基板６０をカバー体７０に装着する。より詳しくは、制御基板６０のコネクタ６３を、コネクタ開口孔７３ｄに対して下方から挿入する。そして、コネクタ６３とコネクタ開口孔７３ｄとの接触箇所を支点にして、制御基板６０の下端を回転させながら、制御基板６０をカバー体７０に装着する。
【０１００】
この際、カバー体７０のカバー側壁部７２が、プリント配線基板６１の側部６１ｃを隙間なく覆うように、制御基板６０をカバー体７０に装着する。そして、カバー体７０に制御基板６０を装着すると、３つのネジ３を制御基板６０の第２挿通孔６１ｂに挿通するとともに、カバー体７０のネジ取付部７５に螺合して、制御基板６０とカバー体７０とを締結し、基板ユニット５０を構成する。
【０１０１】
その後、基板ユニット５０をケース本体４３に装着する。より詳しくは、図１１に示すように、カバー体７０を右方向Ｙｒに向けた基板ユニット５０を、挿入部４３ａから後方向Ｘｂに向けてケース本体４３に挿入する。この際、図１０及び図１２に示すように、フランジ部７３ｂが上面部４４の内面側に位置するようにして、コネクタ保持部７３の囲繞部７３ａをケース４０の開口孔４４ａに嵌合させながら挿入する。
【０１０２】
さらに、後方向Ｘｂに向けて基板ユニット５０を挿入すると、図１３に示すように、突起部７６に対して、スペーサ４７ａが挿入口７６ａを介して嵌合して、制御基板６０の第１挿通孔６１ａと、カバー平面部７１のネジ挿通部７４と、スペーサ４７ａとが側面視において略一致する。
【０１０３】
この状態において、第１挿通孔６１ａを介してネジ２をスペーサ４７ａに螺合することで、ケース本体４３に対して基板ユニット５０を締結する。ケース本体４３と基板ユニット５０とを締結したのち、電源用オス型コネクタ４６ｃを制御基板６０の電源用メス型コネクタ６６に接続する。
【０１０４】
その後、ケース本体４３の挿入部４３ａを閉塞するように、前面パネル４１を被せて、ネジ１で、ケース本体４３と前面パネル４１とを締結する。そして、スイッチ用オス型コネクタ４１ｃを制御基板６０のスイッチ用メス型コネクタ６５に接続する。
【０１０５】
さらに、ケース本体４３に対して左側面パネル４２を被せて、ネジ１でケース本体４３と左側面パネル４２とを締結して電源制御装置３２を構成する。このようにして組み付けた電源制御装置３２を筐体本体３０の所定の位置に固定する。
【０１０６】
以上のような構成を実現する電源制御装置３２、スロットマシン１０、及び電源制御装置３２の組付け方法は、制御基板６０とケース４０との組付け性を向上することができる。  
具体的には、ケース４０に対して制御基板６０を後方向Ｘｂに沿って挿入すると、突起部７６が挿入口７６ａを介してスペーサ４７ａに嵌合するため、電源制御装置３２、及び電源制御装置３２の組付け方法は、ケース４０に対する制御基板６０の相対位置を容易に合わせることができる。
【０１０７】
これにより、電源制御装置３２、及び電源制御装置３２の組付け方法は、ケース４０に対する制御基板６０の位置決めを容易にすることができる。このため、電源制御装置３２、及び電源制御装置３２の組付け方法は、スペーサ４７ａの位置が視認できない場合であっても、ケース４０の右側面部４７に対する制御基板６０の装着を容易にすることができる。
【０１０８】
さらに、ネジ２が螺合するスペーサ４７ａに突起部７６を嵌合させることにより、電源制御装置３２、及び電源制御装置３２の組付け方法は、制御基板６０の第１挿通孔６１ａと、スペーサ４７ａとを容易に略一致させることができる。このため、電源制御装置３２、及び電源制御装置３２の組付け方法は、ネジ２を螺合するスペーサ４７ａと、突起部７６を嵌合させるスペーサ４７ａとを、別々に設けることを不要できる。
【０１０９】
加えて、突起部７６によってケース４０に対する制御基板６０の位置決めが容易であるため、例えば、制御基板６０に不具合が生じた際、電源制御装置３２、及び電源制御装置３２の組付け方法は、制御基板６０の交換を容易にすることができる。  
従って、電源制御装置３２、及び電源制御装置３２の組付け方法は、突起部７６とスペーサ４７ａとによって、制御基板６０とケース４０との組付け性を向上することができる。
【０１１０】
また、カバー体７０と制御基板６０とで基板ユニット５０を構成し、突起部７６をカバー体７０に備えるとともに、スペーサ４７ａをケース４０の右側面部４７に備えたことにより、電源制御装置３２は、制御基板６０の第２の面６８が損傷することを防止できる。
【０１１１】
より詳しくは、例えば、カバー体７０がない状態で、スペーサ４７ａと制御基板６０との相対位置を合わせる際、第２の面６８と、視認が困難なスペーサ４７ａとが接触することで、回路パターンなどが損傷するおそれがある。
【０１１２】
これに対して、制御基板６０とカバー体７０とで基板ユニット５０を構成することにより、電源制御装置３２は、第２の面６８をカバー体７０で保護することができる。これにより、挿入部４３ａから後方向Ｘｂに沿って基板ユニット５０を挿入しても、電源制御装置３２は、第２の面６８がスペーサ４７ａと直接的に接触することを防止できる。
【０１１３】
このため、電源制御装置３２は、第２の面６８の回路パターンなどの損傷を防止することができる。  
従って、電源制御装置３２は、制御基板６０の損傷を防止するとともに、制御基板６０とケース４０との組付け性を向上することができる。
【０１１４】
また、ケース本体４３の上面部４４に開口孔４４ａを備え、開口孔４４ａに対して後方向Ｘｂに沿って嵌合するコネクタ保持部７３をカバー体７０に備えたことにより、電源制御装置３２は、開口孔４４ａとコネクタ保持部７３との嵌合によって、ケース４０と基板ユニット５０の位置決めを行うことができる。さらに、開口孔４４ａとコネクタ保持部７３との嵌合によって、左右方向Ｙへの基板ユニット５０の移動を規制することができる。
【０１１５】
これにより、電源制御装置３２は、制御基板６０とケース４０との相対位置のズレを小さくするとともに、基板ユニット５０と右側面部４７との位置決めをより容易にすることができる。  
従って、電源制御装置３２は、突起部７６及びスペーサ４７ａによる位置決めに加えて、開口孔４４ａ及びコネクタ保持部７３による位置決めによって、制御基板６０とケース４０との組付け性をさらに向上することができる。
【０１１６】
また、コネクタ保持部７３をカバー体７０に備え、開口孔４４ａを上面部４４に備えるとともに、前方向Ｘｆの端部が開口する端部開口孔で構成したことにより、上面部４４、が、スペーサ４７ａが配置された右側面部４７と異なる仮想平面上に位置するため、電源制御装置３２は、ケース４０と、基板ユニット５０とを多面で位置決めすることができる。
【０１１７】
さらに、開口孔４４ａを端部開口孔としたことにより、コネクタ保持部７３と開口孔４４ａとが嵌合したのち、突起部７６とスペーサ４７ａとが嵌合するため、電源制御装置３２は、コネクタ保持部７３と開口孔４４ａとが、突起部７６とスペーサ４７ａとの挿入ガイドとなるとともに、基板ユニット５０の移動を規制することができる。
【０１１８】
これにより、電源制御装置３２は、基板ユニット５０とケース４０との位置決めをさらに容易にすることができる。  
従って、電源制御装置３２は、開口孔４４ａを端部開口孔で構成したことにより、制御基板６０とケース４０との組付け性をさらに向上することができる。
【０１１９】
また、囲繞部７３ａとフランジ部７３ｂと支持部７３ｃとで一体形成したコネクタ保持部７３におけるフランジ部７３ｂを開口孔４４ａの大きさよりも大きい外形で形成したにより、電源制御装置３２は、上面部４４の内面側とフランジ部７３ｂとが対面するように、フランジ部７３ｂの位置を合せながら基板ユニット５０を挿入することができる。
【０１２０】
つまり、視認が容易なフランジ部７３ｂによって基板ユニット５０とケース４０との相対位置を合わせることができる。これにより、電源制御装置３２は、コネクタ保持部７３と開口孔４４ａとの位置合わせによって、視認困難なスペーサ４７ａと突起部７６との位置決めをより容易にすることができる。
【０１２１】
さらに、フランジ部７３ｂは、右側面部４７に対する基板ユニット５０の相対移動を規制することができる。このため、電源制御装置３２は、コネクタ保持部７３及び突起部７６によって、基板ユニット５０とケース４０との相対位置をより容易に、かつ確実に合わせることができる。  
従って、電源制御装置３２は、フランジ部７３ｂを有するコネクタ保持部７３によって、基板ユニット５０とケース４０との組付け性をさらに向上することができる。
【０１２２】
また、コネクタ保持部７３にコネクタ６３の挿通を許容するとともに保持するコネクタ開口孔７３ｄを備えたことにより、コネクタ保持部７３は、コネクタ６３を保持して外部への導出する役割と、ケース４０と基板ユニット５０との位置決めを行う役割とを兼ね備えることができる。
【０１２３】
さらに、制御基板６０に実装したコネクタ６３を保持しているため、コネクタ６３に対して意図しない外力が加わった場合であっても、カバー体７０は、コネクタ６３が損傷することをコネクタ保持部７３によって防止できる。  
従って、電源制御装置３２は、コネクタ開口孔７３ｄを有するコネクタ保持部７３によって、制御基板６０とケース４０との組付け性を損なうことなく、コネクタ６３を保護しながら外部に導出することができる。
【０１２４】
また、３つの突起部７６を上下方向に配置したことにより、電源制御装置３２は、基板ユニット５０とケース４０との位置決めをより確実に行うことができる。  
より詳しくは、複数のスペーサ４７ａの１つに対して１つの突起部７６で位置決めを行う場合、突起部７６が嵌合したスペーサ４７ａを軸にして制御基板６０が回転するおそれがある。このため、制御基板６０と右側面部４７とをネジ２で締結する場合、制御基板６０とスペーサ４７ａとの相対位置が合わず、組付け性が低下するおそれがある。
【０１２５】
これに対して、上下方向に３つの突起部７６を配置することにより、電源制御装置３２は、スペーサ４７ａを軸にして制御基板６０が回転することを防止できる。さらに、３つの突起部７６がスペーサ４７ａと嵌合することによって、電源制御装置３２は、ケース４０に対して制御基板６０が上下方向へ移動することを規制できる。
【０１２６】
これにより、電源制御装置３２は、制御基板６０とケース４０との位置決めをより確実に行うことができる。  
従って、電源制御装置３２は、３カ所で位置決めすることで、制御基板６０とケース４０との組付け性をより向上することができる。
【０１２７】
また、カバー体７０に制御基板６０の側部６１ｃを一体的に囲繞するカバー側壁部７２を備えたことにより、カバー体７０は、制御基板６０の第２の面６８を隙間なく覆うことができる。このため、基板ユニット５０は、対面している制御基板６０とカバー体７０との間に、埃や異物などの侵入を阻止することができる。これにより、基板ユニット５０は、埃などの付着による制御基板６０の短絡を防止することができる。
【０１２８】
さらに、第２の面６８に実装した第２電気部品６９が脱落しても、基板ユニット５０は、カバー体７０と制御基板６０とで囲われた空間内に、第２電気部品６９を留まらせることができる。このため、例えば、基板ユニット５０を軽く揺するだけで異音が発生し、第２電気部品６９が脱落したことを容易に検出することができる。
【０１２９】
これにより、基板ユニット５０は、例えば輸送したとしても、制御基板６０の損傷を防止するとともに、脱落などの不具合を容易に検出できる。このため、電源制御装置３２は、制御基板６０とカバー体７０とを組付ける工程、及びケース４０と基板ユニット５０とを組付ける工程を、異なる場所で行うことができる。
【０１３０】
従って、電源制御装置３２は、カバー側壁部７２を備えたカバー体７０によって、制御基板６０の損傷をより確実に防止するとともに、損傷した制御基板６０がケース４０に組付けられることを確実に防止できる。
【０１３１】
また、電源制御装置３２を筐体本体３０に配置したことにより、制御基板６０とケース４０との組付け性を向上した電源制御装置３２によって、組付け性を向上するとともに、安定した遊技を行うことができるスロットマシン１０を構成することができる。
【０１３２】
この発明の構成と、上述の実施形態との対応において、
この発明の電気部品は、実施形態の第１電気部品６４、及び第２電気部品６９に対応し、
以下同様に、
遊技機は、スロットマシン１０に対応し、
基板取付部は、右側面部４７に対応し、
基板収納箱は、ケース４０に対応し、
制御装置は、電源制御装置３２に対応し、
対向方向は、左右方向Ｙに対応し、
挿入方向は、後方向Ｘｂに対応し、
制御基板における基板取付部と対向する面は、第２の面６８に対応し、
挿入方向の側部は、ケース４０の前面部分に対応し、
側面部は、上面部４４に対応し、
嵌合部は、コネクタ保持部７３に対応し、
嵌合本体部分は、囲繞部７３ａに対応し、
フランジ部分は、フランジ部７３ｂに対応し、
支持部分は、支持部７３ｃに対応し、
交差方向は、上下方向に対応し、
制御基板の側部は、制御基板６０の側部６１ｃに対応し、
筐体は、筐体本体３０に対応するが、
この発明は、上述の実施形態の構成のみに限定されるものではなく、多くの実施の形態を得ることができる。
【０１３３】
例えば、上述の実施形態では、電源制御装置３２について説明したが、これに限定せず、メイン制御装置、サブ制御装置、あるいは液晶制御装置であってもよい。  
また、カバー体７０に突起部７６を形成し、右側面部４７にスペーサ４７ａを設けたが、これに限定せず、カバー体７０に右側面部４７に向けて延びるスペーサを形成し、右側面部４７に突起部を設けてもよい。
【０１３４】
あるいは、制御基板６０における第２の面６８に突起部を設けて、右側面部４７のスペーサ４７ａに嵌合する構成としてもよい。もしくは、制御基板６０における第２の面にスペーサを設けて、右側面部４７に突起部を設けてもよい。
【０１３５】
また、突起部７６を断面略Ｙ字状としたが、これに限定せず、スペーサ４７ａが嵌合する形状であれば、別の突起部の形状を説明する説明図を示す図１４のように、断面略Ｖ字状（図１４（ａ）参照）、断面視略Ｕ字状（図１４（ｂ）参照）、断面略Ｊ字状（図１４（ｃ）参照）、あるいは断面略コ字状（図１４（ｄ）参照）であってもよい。
【０１３６】
さらに、図１４（ｅ）に示すように、断面略Ｃ字状に形成するとともに、挿入口７６ａ側に係止部７６ｂを有する突起部７６としてもよい。この断面略Ｃ字状の突起部７６は、図１４（ｆ）に示すように、上下方向から見て挿入口７６ａ側におけるカバー平面部７１側を切欠くことで、弾性を有する係止部７６ｂを形成している。
【０１３７】
つまり、断面略Ｃ字状の突起部７６は、スペーサ４７ａに対して嵌合係止可能に形成している。これにより、電源制御装置３２は、制御基板６０と右側面部４７とを締結するネジ２を不要にすることができる。
【０１３８】
また、カバー体７０を絶縁性及び透過性を有する合成樹脂製としたが、これに限定せず、絶縁性を有するセラミック製のカバー体などとしてもよい。  
また、カバー平面部７１とカバー側壁部７２とによって、制御基板６０の第２の面６９を隙間なく覆う構成のカバー体７０としたが、これに限定せず、カバー側壁部に適宜の開口を設けたカバー体であってもよい。
【０１３９】
また、カバー体７０を、プリント配線基板６１の側部６１ｃを全て囲繞するような形状に形成したが、これに限定せず、第２の面６８に当接して装着可能に形成するとともに、第２の面６８を覆う形状に形成したカバー体としてもよい。  
あるいは、第２の面６８と対面する略平板状の平面部と、平面部の装着を許容するとともに、第２の面６８に装着可能に形成した支持台とを別体で構成したカバー体としてもよい。もしくは、プリント配線基板６１の周縁を折り曲げて立設した部分に装着するカバー体としてもよい。  
また、突起部７６をスペーサ４７ａの軸方向長さより短い長さで形成したが、これに限定せず、突起部７６とスペーサ４７ａとを同じ長さで形成してもよい。
【０１４０】
また、コネクタ６３を保持するとともに、開口孔４４ａに嵌合するコネクタ保持部７３としたが、これに限定せず、開口孔４４ａに嵌合する構成であれば、コネクタ６３を保持しない構成としてもよい。
【０１４１】
また、コネクタ６３を保持するコネクタ保持部７３としたが、これに限定せず、例えば、第１の面６２に実装した第１電気部品６４を覆うように、フランジ部７３ｂをさらに延設したコネクタ保持部７３としてもよい。これにより、基板ユニット５０は、第２の面６２を保護するだけでなく、第１の面６４に実装した第１電気部品６４も保護することができる。
【０１４２】
また、上面部４４に開口孔４４ａを形成したが、これに限定せず、ケースに設けた開口孔に対して嵌合することで、多面で位置決めできる構成であれば、ケースやコネクタの構成などに応じて適宜の位置に開口孔を形成してもよい。
【０１４３】
例えば、上面部分、底面部分、背面部分、基板ユニット５０を装着する右側面部分、及び右側面部分と対向する左側面部分を一体形成したケース本体と、前面パネル４１とでケース４０を構成する。この際、前面パネル４１を取り外して形成される開口を挿入部とする。
【０１４４】
そして、左側面部分から露出するようにコネクタをプリント配線基板に実装し、左側面部分における前端に開口孔を形成する。この左側面部分に形成した開口孔に対して、コネクタを保持するコネクタ保持部を嵌合させるようにしてもよい。  
あるいは、カバー体に開口孔を形成し、ケース本体４３に開口孔に嵌合する嵌合部を備えてもよい。
【０１４５】
また、ケース本体４３に設けた開口孔４４ａに、基板ユニット５０のコネクタ保持部７３を嵌合する構成としたが、これに限定せず、カバー体に開口孔を形成し、ケース本体４３に開口孔に嵌合する嵌合部を備えてもよい。
【産業上の利用可能性】
【０１４６】
本発明は、スロットマシンの電源制御装置に限らず、パチンコ機などの遊技ホールに設置される遊技機における各種制御装置に適用することができる。
【符号の説明】
【０１４７】
１０…スロットマシン
３０…筐体本体
３２…電源制御装置
４０…ケース
４３ａ…挿入部
４４…上面部
４４ａ…開口孔
４７…右側面部
４７ａ…スペーサ
５０…基板ユニット
６０…制御基板
６１ｃ…側部
６３…コネクタ
６４…第１電気部品
６８…第２の面
６９…第２電気部品
７０…カバー体
７２…カバー側壁部
７３…コネクタ保持部
７３ａ…囲繞部
７３ｂ…フランジ部
７３ｃ…支持部
７３ｄ…コネクタ開口孔
７６…突起部
７６ａ…挿入口
Ｘｂ…後方向
Ｙ…左右方向
【図１】
2015080690.tif 000003
【図２】
2015080690.tif 000004
【図３】
2015080690.tif 000005
【図４】
2015080690.tif 000006
【図５】
2015080690.tif 000007
【図６】
2015080690.tif 000008
【図７】
2015080690.tif 000009
【図８】
2015080690.tif 000010
【図９】
2015080690.tif 000011
【図１０】
2015080690.tif 000012
【図１１】
2015080690.tif 000013
【図１２】
2015080690.tif 000014
【図１３】
2015080690.tif 000015
【図１４】
2015080690.tif 000016
【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
電気部品を実装した遊技機における制御基板と、
所定の間隔を隔てて対向配置した前記制御基板の装着を許容する基板取付部を有する略ボックス状の基板収納箱とで構成した制御装置であって、
対向配置した前記制御基板及び前記基板取付部の一方に、
他方に向かって伸びるスペーサを備えるとともに、
他方における前記スペーサに対応する位置に、
前記制御基板及び前記基板取付部が対向する対向方向と交差する挿入方向からの前記スペーサの挿入を許容する挿入口を有するとともに嵌合を許容する断面略凹状の突起部を備えた
制御装置。
【請求項２】
電気部品を実装した遊技機における制御基板と、
所定の間隔を隔てて対向配置した前記制御基板の装着を許容する基板取付部を有する略ボックス状の基板収納箱とで構成した制御装置であって、
前記制御基板における前記基板取付部と対向する面を覆うように前記制御基板に装着するカバー体と、前記制御基板とで基板ユニットを構成し、
該基板ユニットと前記基板取付部とが対向する対向方向に対して交差する方向を挿入方向として、
前記基板取付部を、略平板状に形成するとともに、
前記基板収納箱における前記挿入方向の側部に、
前記基板ユニットの挿入を許容する挿入部を備え、
対向配置した前記カバー体及び前記基板取付部の一方に、
他方に向かって伸びるスペーサを備え、
他方における前記スペーサに対応する位置に、
前記挿入方向からの前記スペーサの挿入を許容する挿入口を有するとともに嵌合を許容する断面略凹状の突起部を備えた
制御装置。
【請求項３】
前記カバー体に、所定の大きさで開口形成した開口孔を備え、
前記基板取付部に隣接する少なくとも１つの収納箱側面部、または／および前記基板取付部と対向する収納箱対向面部に、
前記開口孔に対して前記挿入方向に沿って嵌合する嵌合部を備えた
請求項２に記載の制御装置。
【請求項４】
前記基板取付部に隣接する少なくとも１つの収納箱側面部、または／および前記基板取付部と対向する収納箱対向面部に、
所定の大きさで開口形成した開口孔を備え、
前記カバー体に、
前記開口孔に対して前記挿入方向に沿って嵌合する嵌合部を備えた
請求項２に記載の制御装置。
【請求項５】
前記開口孔を、
前記挿入方向とは逆方向の端部が開口する端部開口孔で構成した
請求項４に記載の制御装置。
【請求項６】
前記嵌合部を、
前記カバー体に連結されるとともに、前記端部開口孔の大きさと略同等の大きさで前記端部開口孔に嵌合可能に形成した嵌合本体部分と、
該嵌合本体部分における前記収納箱側面部、または／および前記収納箱対向面部の内面側に近接する位置から突出したフランジ部分とで一体形成し、
前記フランジ部分を、前記端部開口孔の大きさよりも大きい外形で形成した
請求項５に記載の制御装置。
【請求項７】
前記制御基板に、前記基板収納箱から先端が露出するように実装したコネクタを備え、
前記嵌合部に、
前記コネクタの挿通を許容するとともに保持するコネクタ開口孔を備えた
請求項５または請求項６に記載の制御装置。
【請求項８】
少なくとも２つの前記突起部を、
前記挿入方向に対して略交差する交差方向に配置した
請求項１から請求項７のいずれか１つに記載の制御装置。
【請求項９】
前記カバー体に、
前記制御基板の側部を一体的に囲繞するカバー側壁部を備えた
請求項２から請求項８のいずれか１つに記載の制御装置。
【請求項１０】
請求項１から請求項９のいずれか１つに記載の制御装置を、筐体内部に配置した
遊技機。
【請求項１１】
電気部品を実装した遊技機における制御基板と、所定の間隔を隔てて対向配置した前記制御基板の装着を許容する基板取付部を有する略ボックス状の基板収納箱とで構成した制御装置の組付け方法であって、
対向配置した前記制御基板及び前記基板取付部の一方に備えるとともに、他方に向かって伸びるスペーサに対して、
他方における前記スペーサに対応する位置に備えた断面略凹状の突起部の挿入口を、前記制御基板及び前記基板取付部が対向する対向方向と交差する挿入方向から、挿入するとともに嵌合する
制御装置の組付け方法。
【請求項１２】
電気部品を実装した遊技機における制御基板と、所定の間隔を隔てて対向配置した前記制御基板の装着を許容する基板取付部を有する略ボックス状の基板収納箱とで構成した制御装置の組付け方法であって、
前記制御基板における前記基板取付部と対向する面を覆うように前記制御基板に装着するカバー体、及び前記制御基板で構成した基板ユニットと、略平板状の前記基板取付部とが対向する対向方向に対して交差する方向を挿入方向として、
前記基板収納箱における前記挿入方向の側部に備えた挿入部に、前記基板ユニットを挿入し、
対向配置した前記カバー体及び前記基板取付部の一方に備えるとともに、他方に向かって伸びるスペーサに対して、
他方における前記スペーサに対応する位置に備えた断面略凹状の突起部の挿入口を、前記挿入方向から挿入するとともに嵌合する
制御装置の組付け方法。
【手続補正２】
【補正対象書類名】明細書
【補正対象項目名】全文
【補正方法】変更
【補正の内容】
【発明の詳細な説明】
【技術分野】
【０００１】
この発明は、例えば遊技機において、外部から供給された電力を制御する電源制御装置のような制御装置、遊技機、及び制御装置の組付け方法に関する。
【背景技術】
【０００２】
複数の図柄が描かれたリールを回転させるとともに、適宜のタイミングで停止させることで、利用者が遊技を楽しむスロットマシンのような遊技機は、電気部品を実装した制御基板を内部に収容した複数の制御装置によって、リールの回転駆動や回転停止、あるいは各種演出を制御している。
【０００３】
このような遊技機における制御装置として、外部から電力の供給を受付けるとともに、別の制御装置に対して供給する電力を制御する電源制御装置がある。この電源制御装置は、抵抗器や変圧器などの電気部品や電磁シールドなどを実装した制御基板を、略ボックス状の基板収納箱に収容、固定して構成している。
【０００４】
例えば、特許文献１に記載の遊技機は、電源制御基板の一方の面と対向する部分に透明な窓蓋を設けたケースに、電子部品が実装された電源制御基板を収容、固定して構成した電源制御装置を筐体内部に配置している。
【０００５】
ところで、基板収納箱に制御基板を組付ける際、制御基板は、基板収納箱に設けたスペーサを介して固定している。これにより、制御装置は、制御基板の回路パターンや電気部品の端子が基板収納箱の内面に直接接触して短絡することを防止している。
【０００６】
しかしながら、特許文献１に記載の遊技機のように、制御基板を載置する面と対向する面が開口した略ボックス状の基板収納箱の場合、開口側から制御基板を載置すると、制御基板によってスペーサが隠れるため、スペーサと制御基板との相対位置が確認し難く、組付け性が低下するという問題があった。
【先行技術文献】
【特許文献】
【０００７】
【特許文献１】特開２００６−１９７９９１号公報
【発明の概要】
【発明が解決しようとする課題】
【０００８】
本発明は、上述の問題に鑑み、制御基板と基板収納箱との組付け性を向上することができる制御装置、遊技機、及び制御装置の組付け方法を提供することを目的とする。
【課題を解決するための手段】
【０００９】
この発明は、電気部品を実装した遊技機における制御基板と、所定の間隔を隔てて対向配置した前記制御基板の装着を許容する基板取付部を有する略ボックス状の基板収納箱とで構成した制御装置、及び制御装置の組付け方法であって、対向配置した前記制御基板及び前記基板取付部の一方に、他方に向かって伸びるスペーサを備えるとともに、他方における前記スペーサに対応する位置に、前記制御基板及び前記基板取付部が対向する対向方向と交差する挿入方向からの前記スペーサの挿入を許容する挿入口を有するとともに嵌合を許容する断面略凹状の突起部を備えたことを特徴とする。
【００１０】
上記制御基板は、電力を制御する基板、遊技を制御する基板、遊技にかかる演出を制御する基板、あるいは液晶画面などを制御する基板などとすることができる。  
上記断面略凹状の突起部は、断面略Ｙ字状、断面略Ｖ字状、断面視略Ｕ字状、断面略Ｊ字状、断面Ｃ字状、あるいは断面略コ字状などであって、スペーサに対して嵌合する、あるいは嵌合係止する形状とすることができる。
【００１１】
この発明により、制御基板と基板収納箱との組付け性を向上することができる。  
具体的には、基板収納箱に対して制御基板を挿入方向に沿って挿入すると、突起部が挿入口を介してスペーサに嵌合するため、制御装置、及び制御装置の組付け方法は、基板収納箱に対する制御基板の相対位置を容易に合わせることができる。
【００１２】
これにより、制御装置、及び制御装置の組付け方法は、基板収納箱に対する制御基板の位置決めを容易にすることができる。このため、制御装置、及び制御装置の組付け方法は、スペーサの位置が視認できない場合であっても、基板収納箱の基板取付部に対する制御基板の装着を容易にすることができる。
【００１３】
さらに、例えば、基板取付部に設けたスペーサを介して、基板取付部と制御基板とをネジで締結する構成の場合、ネジが螺合するスペーサに突起部を嵌合させることにより、制御装置、及び制御装置の組付け方法は、制御基板に設けたネジの挿通を許容する挿通孔と、スペーサに設けたネジが螺合するネジ孔とを容易に略一致させることができる。このため、制御装置、及び制御装置の組付け方法は、ネジを螺合するスペーサと、突起部を嵌合させるスペーサとを、別々に設けることを不要にできる。
【００１４】
加えて、突起部によって基板収納箱に対する制御基板の位置決めが容易であるため、例えば、制御基板に不具合が生じた際、制御装置、及び制御装置の組付け方法は、制御基板の交換を容易にすることができる。  
従って、制御装置、及び制御装置の組付け方法は、突起部とスペーサとによって、制御基板と基板収納箱との組付け性を向上することができる。
【００１５】
この発明は、電気部品を実装した遊技機における制御基板と、所定の間隔を隔てて対向配置した前記制御基板の装着を許容する基板取付部を有する略ボックス状の基板収納箱とで構成した制御装置、及び制御装置の組付け方法であって、前記制御基板における前記基板取付部と対向する面を覆うように前記制御基板に装着するカバー体と、前記制御基板とで基板ユニットを構成し、該基板ユニットと前記基板取付部とが対向する対向方向に対して交差する方向を挿入方向として、前記基板取付部を、略平板状に形成するとともに、前記基板収納箱における前記挿入方向の側部に、前記基板ユニットの挿入を許容する挿入部を備え、対向配置した前記カバー体及び前記基板取付部の一方に、他方に向かって伸びるスペーサを備え、他方における前記スペーサに対応する位置に、前記挿入方向からの前記スペーサの挿入を許容する挿入口を有するとともに嵌合を許容する断面略凹状の突起部を備えることができる。
【００１６】
上記カバー体は、絶縁性を有する合成樹脂製やセラミック製のカバー体、あるいは導電性を有する金属製のカバー体などとすることができる。さらに、カバー体は、制御基板における側部を囲繞して基板取付部と対向する面を覆う形状、制御基板における基板取付部と対向する面に当接して覆う形状、あるいは所定の間隔を隔てるために設けた略柱状の脚部を介して対向する面を覆う形状とすることができる。
【００１７】
この発明により、制御装置は、制御基板における基板取付部と対向する面が損傷することを防止できる。  
より詳しくは、例えば、カバー体がない状態で、スペーサと制御基板との相対位置を合わせる際、制御基板における基板取付部と対向する面と、視認が困難なスペーサとが接触することで、回路パターンなどが損傷するおそれがある。
【００１８】
これに対して、制御基板とカバー体とで基板ユニットを構成することにより、制御装置は、制御基板における基板取付部と対向する面をカバー体で保護することができる。これにより、挿入部から挿入方向に沿って基板ユニットを挿入しても、制御装置は、制御基板における基板取付部と対向する面がスペーサと直接的に接触することを防止できる。
【００１９】
このため、制御装置は、制御基板における基板取付部と対向する面の回路パターンなどの損傷を防止することができる。  
従って、制御装置は、制御基板の損傷を防止するとともに、制御基板と基板収納箱との組付け性を向上することができる。
【００２０】
また、この発明の態様として、前記カバー体に、所定の大きさで開口形成した開口孔を備え、前記基板取付部に隣接する少なくとも１つの収納箱側面部、または／および前記基板取付部と対向する収納箱対向面部に、前記開口孔に対して前記挿入方向に沿って嵌合する嵌合部を備えることができる。
【００２１】
また、この発明の態様として、前記基板取付部に隣接する少なくとも１つの収納箱側面部、または／および前記基板取付部と対向する収納箱対向面部に、所定の大きさで開口形成した開口孔を備え、前記カバー体に、前記開口孔に対して前記挿入方向に沿って嵌合する嵌合部を備えることができる。
【００２２】
上記収納箱側面部は、例えば、基板収納箱における側面部分を基板取付部とした場合、基板収納箱における上面部分、底面部分、前面部分、あるいは背面部分とすることができる。
【００２３】
この発明により、制御装置は、開口孔と嵌合部との嵌合によって、基板収納箱と基板ユニットの位置決めを行うことができる。さらに、例えば、収納箱側面部に開口孔を形成した場合、開口孔と嵌合部との嵌合によって、対向方向への基板ユニットの移動を規制することができる。あるいは、収納箱対向面部に開口孔を形成した場合、基板取付部における面内方向への基板ユニットの移動を規制することができる。
【００２４】
これにより、制御装置は、制御基板と基板収納箱との相対位置のズレを小さくするとともに、基板ユニットと基板取付部との位置決めをより容易にすることができる。  
従って、制御装置は、突起部及びスペーサによる位置決めに加えて、開口孔及び嵌合部による位置決めによって、制御基板と基板収納箱との組付け性をさらに向上することができる。
【００２５】
また、この発明の態様として、前記開口孔を、前記挿入方向とは逆方向の端部が開口する端部開口孔で構成することができる。
【００２６】
この発明により、収納箱側面部、または／および収納箱対向面部が、スペーサが配置された基板取付部と異なる仮想平面上に位置するため、制御装置は、基板収納箱と、基板ユニットとを多面で位置決めすることができる。
【００２７】
さらに、開口孔を端部開口孔としたことにより、嵌合部と端部開口孔とが嵌合したのち、突起部とスペーサとが嵌合するため、制御装置は、嵌合部と端部開口孔とが、突起部とスペーサとの挿入ガイドとなるとともに、基板ユニットの移動を規制することができる。
【００２８】
これにより、制御装置は、基板ユニットと基板収納箱との位置決めをさらに容易にすることができる。  
従って、制御装置は、開口孔を端部開口孔で構成したことにより、制御基板と基板収納箱との組付け性をさらに向上することができる。
【００２９】
また、この発明の態様として、前記嵌合部を、前記カバー体に連結されるとともに、前記端部開口孔の大きさと略同等の大きさで前記端部開口孔に嵌合可能に形成した嵌合本体部分と、該嵌合本体部分における前記収納箱側面部、または／および前記収納箱対向面部の内面側に近接する位置から突出したフランジ部分とで一体形成し、前記フランジ部分を、前記端部開口孔の大きさよりも大きい外形で形成することができる。
【００３０】
この発明により、制御装置は、収納箱側面部または／および収納箱対向面部の内面とフランジ部分が対面するように、フランジ部分の位置を合せながら基板ユニットを挿入することができる。つまり、視認が容易なフランジ部分によって基板ユニットと基板収納箱との相対位置を合わせることができる。これにより、制御装置は、嵌合部と開口孔との位置合わせによって、視認困難なスペーサと突起部との位置決めをより容易にすることができる。
【００３１】
さらに、フランジ部分は、基板収納箱に対する基板ユニットの相対移動を規制することができる。このため、制御装置は、嵌合部及び突起部によって、基板ユニットと基板収納箱との相対位置をより容易に、かつ確実に合わせることができる。  
従って、制御装置は、フランジ部分を有する嵌合部によって、基板ユニットと基板収納箱との組付け性をさらに向上することができる。
【００３２】
また、この発明の態様として、前記制御基板に、前記基板収納箱から先端が露出するように実装したコネクタを備え、前記嵌合部に、前記コネクタの挿通を許容するとともに保持するコネクタ開口孔を備えることができる。  
この発明により、嵌合部は、コネクタを保持して外部への導出する役割と、基板収納箱と基板ユニットとの位置決めを行う役割とを兼ね備えることができる。
【００３３】
さらに、制御基板に実装したコネクタを保持しているため、コネクタに対して意図しない外力が加わった場合であっても、カバー体は、コネクタが損傷することを嵌合部によって防止できる。  
従って、制御装置は、コネクタ開口孔を有する嵌合部によって、制御基板と基板収納箱との組付け性を損なうことなく、コネクタを保護しながら外部に導出することができる。
【００３４】
また、この発明の態様として、少なくとも２つの前記突起部を、前記挿入方向に対して略交差する交差方向に配置することができる。  
この発明により、制御装置は、基板ユニットと基板収納箱との位置決めをより確実に行うことができる。
【００３５】
より詳しくは、複数のスペーサの１つに対して１つの突起部で位置決めを行う場合、突起部が嵌合したスペーサを軸にして制御基板が回転するおそれがある。このため、例えば、制御基板と基板取付部とをネジで締結する場合、制御基板とスペーサとの相対位置が合わず、組付け性が低下するおそれがある。
【００３６】
これに対して、交差方向に少なくとも２つの突起部を配置することにより、制御装置は、スペーサを軸にして制御基板が回転することを防止できる。さらに、少なくとも２つの突起部がスペーサと嵌合することによって、制御装置は、基板収納箱に対して制御基板が交差方向へ移動することを規制できる。
【００３７】
これにより、制御装置は、制御基板と基板収納箱との位置決めをより確実に行うことができる。  
従って、制御装置は、少なくとも２カ所で位置決めすることで、制御基板と基板収納箱との組付け性をより向上することができる。
【００３８】
また、この発明の態様として、前記カバー体に、前記制御基板の側部を一体的に囲繞するカバー側壁部を備えることができる。  
この発明により、カバー体は、基板取付部と対向する制御基板の面を隙間なく覆うことができる。このため、基板ユニットは、対面している制御基板とカバー体との間に、埃や異物などの侵入を阻止することができる。これにより、基板ユニットは、埃などの付着による制御基板の短絡を防止することができる。
【００３９】
さらに、例えば、制御基板における基板取付部と対向する面に実装した電気部品が脱落しても、基板ユニットは、カバー体と制御基板とで囲われた空間内に、電気部品を留まらせることができる。このため、例えば、基板ユニットを軽く揺するだけで異音が発生し、電気部品が脱落したことを容易に検出することができる。
【００４０】
これにより、基板ユニットは、例えば輸送したとしても、制御基板の損傷を防止するとともに、脱落などの不具合を容易に検出できる。このため、制御装置は、制御基板とカバー体とを組付ける工程、及び基板収納箱と基板ユニットとを組付ける工程を、異なる場所で行うことができる。  
従って、制御装置は、カバー側壁部を備えたカバー体によって、制御基板の損傷をより確実に防止するとともに、損傷した制御基板が基板収納箱に組付けられることを確実に防止できる。
【００４１】
また、この発明は、上述した制御装置を、筐体内部に配置した遊技機であることを特徴とする。  
この発明により、制御基板と基板収納箱との組付け性を向上した制御装置によって、組付け性を向上するとともに、安定した遊技を行うことができる遊技機を構成することができる。
【発明の効果】
【００４２】
本発明により、制御基板と基板収納箱との組付け性を向上できる制御装置、遊技機、及び制御装置の組付け方法を提供することができる。
【図面の簡単な説明】
【００４３】
【図１】スロットマシンにおける前方上方からの外観を示す外観斜視図。
【図２】電源制御装置における前方上方からの外観を示す外観斜視図。
【図３】電源制御装置における後方上方からの外観を示す外観斜視図。
【図４】ケースにおける構成要素の外観を示す分解斜視図。
【図５】ケース本体と基板ユニットとを分解した外観を示す分解斜視図。
【図６】基板ユニットにおける構成要素の外観を示す分解斜視図。
【図７】基板ユニットにおける構成要素の外観を示す分解斜視図。
【図８】基板ユニットにおける右側面視の外観を示す右側面図。
【図９】図８中のＡ−Ａ矢視断面図。
【図１０】ケース本体に装着した状態におけるコネクタ近傍の断面を示す縦断面図。
【図１１】ケースに基板ユニットを装着する第１工程を説明する説明図。
【図１２】ケースに基板ユニットを装着する第２工程を説明する説明図。
【図１３】ケースに基板ユニットを装着した状態を説明する説明図。
【図１４】別の突起部の形状を説明する説明図。
【発明を実施するための形態】
【００４４】
この発明の一実施形態を以下図面と共に説明する。  
本実施形態では、一例として遊技ホールに設置されるスロットマシン１０における電源制御装置３２について説明する。
【００４５】
なお、図１はスロットマシン１０における前方上方からの外観斜視図を示している。  
また、図１中において、矢印Ｘは前後方向を示し（以下「前後方向Ｘ」とする）、矢印Ｙは左右方向を示している（以下、「左右方向Ｙ」とする）。さらに、図１中の上側を上方とし、図１中の下側を下方とする。  
また、前後方向Ｘにおける前方向を前方向Ｘｆとし、後方向を後方向Ｘｂとし、左右方向Ｙにおける右方向を右方向Ｙｒとし、左方向を左方向Ｙｌとする。
【００４６】
まず、スロットマシン１０は、図１に示すように、正面視略矩形の箱状体であって、利用者と対面する前扉２０と、前方向Ｘｆ側が開口した筐体本体３０とで構成している。なお、前扉２０は、筐体本体３０の前方左端を回転中心にして開閉可能に取り付けられている。
【００４７】
前扉２０における利用者と対面する表面部分は、液晶モニタ２１、２つの上部スピーカー２２、表示窓２３、操作部２４、パネル部２５、２つの下部スピーカー２６、メダル排出口２７、及び受け皿２８で構成している。
【００４８】
より詳しくは、液晶モニタ２１は、前扉２０の上部中央に配置され、遊技中の各種演出画面や操作の案内画面を表示する機能を有している。この液晶モニタ２１は、前扉２０の裏面部分に配置された液晶制御装置（図示省略）によって制御される。  
なお、液晶制御装置は、電気的に接続した後述するサブ制御装置からの制御信号に基づいて、遊技に応じた画面情報を液晶モニタ２１に出力する機能を有している。
【００４９】
上部スピーカー２２は、液晶モニタ２１の左右両端に配置され、後述するメイン制御装置から出力された音声信号を出力する機能を有している。  
表示窓２３は、前扉２０の略中央に配置され、筐体本体３０の略中央に配置したリールユニット３１の一部分やクレジット枚数の表示などを視認可能な透明部分（図示省略）と、入賞ラインなどをプリントした不透明部分（図示省略）とを一体にして構成している。なお、前扉２０の裏面部分における表示窓２３の周囲には、裏面から表示窓２３を照明するバックライトなどが配置されている。
【００５０】
操作部２４は、表示窓２３の下方において前方に膨出した部分に配置されたメダル投入口２４ａ、入力ボタンユニット２４ｂ、ＭＡＸＢＥＴボタン２４ｃ、投入精算ボタンユニット２４ｄ、スタートレバー２４ｅ、３つのストップボタン２４ｆで構成している。なお、操作部２４は、後述するメイン制御装置と電気的に接続している。
【００５１】
メダル投入口２４ａは、操作部２４の上面右端に配置され、利用者によるメダルの投入を受付ける機能を有している。なお、前扉２０の裏面部分には、メダル投入口２４ａに接続されるとともに、投入されたメダルを検出する機能と、メダルを選別する機能と、選別したメダルに応じて後述するメダル払出装置、あるいはメダル排出口２７に排出する機能とを有するメダルセレクター（図示省略）を配置している。
【００５２】
入力ボタンユニット２４ｂは、操作部２４の上面略中央に配置され、液晶モニタ２１に表示された画面の指示に沿って利用者による選択押下操作を許容する選択ボタン（図示省略）と、チャンスボタン（図示省略）とで構成している。  
ＭＡＸＢＥＴボタン２４ｃは、入力ボタンユニット２４ｂの左側に配置され、一回の遊技におけるメダルの最大賭け数を、獲得したメダル枚数をデータとして蓄積しているクレジットからセットすることを所望する利用者の操作を受付ける機能を有している。
【００５３】
投入精算ボタンユニット２４ｄは、操作部２４の上面左端に配置され、利用者による押下操作によって、一回の遊技におけるメダルの賭け数を、クレジットから一枚ずつセットする投入ボタン（図示省略）と、クレジットに貯留されているメダルを精算して排出する精算ボタン（図示省略）とで構成している。  
スタートレバー２４ｅは、操作部２４の前面左端に配置され、リールユニット３１を構成する３つのリールの回転開始を所望する利用者の操作を受付ける機能を有している。
【００５４】
３つのストップボタン２４ｆは、操作部２４の前面略中央に並置され、リールユニット３１の３つのリールにそれぞれ対応している。このストップボタン２４ｆは、対応するリールの回転停止を所望する利用者の操作を受付ける機能を有している。
【００５５】
パネル部２５は、操作部２４の下方に配置され、スロットマシン１０の機種名を示すイラストなどのパネルと、パネルを照明するバックライトなどで構成している。  
下部スピーカー２６は、パネル部２５の下方における左右両端に配置され、後述するサブ制御装置から出力された音声信号を出力する機能を有している。
【００５６】
メダル排出口２７は、パネル部２５の下方における略中央に配置され、前扉２０の裏面に配置したメダルセレクター、あるいは後述する筐体本体３０に配置したメダル払出装置メダルから搬送されたメダルを受け皿２８に排出するように構成している。  
受け皿２８は、前扉２０の下部において前方に向けて配置され、メダル排出口２７から排出されたメダルを貯留可能に構成している。
【００５７】
一方、筐体本体３０の内部には、詳細な図示を省略するが、メイン制御装置、サブ制御装置、リールユニット３１、メダル払出装置、補助タンク、及び電源制御装置３２などを配置している。
【００５８】
より詳しくは、メイン制御装置は、操作部２４やリールユニット３１などの各種機器と電気的に接続され、スタートレバー２４ｅからの入力信号によって抽選する機能、ストップボタン２４ｆからの入力信号によってリールユニット３１の回転、停止を制御する機能などを有している。さらに、メイン制御装置は、電気的に接続された上部スピーカー２２及び下部スピーカー２６へ音声信号を出力する機能を有している。
【００５９】
サブ制御装置は、メイン制御装置及び各種機器と電気的に接続されている。このサブ制御装置は、メイン制御装置からの入力信号により、各種演出動作を決定して、液晶制御装置への制御信号を出力する機能、及び各バックライトなどを制御する機能を有している。
【００６０】
リールユニット３１は、複数の図柄がプリントされたリールを３つ並置するとともに、電気的に接続されたメイン制御装置による制御によって、それぞれ独立して回転、停止する機能を有している。  
メダル払出装置は、メダル投入口２４ａから投入されたメダルを貯留する機能と、遊技の進行に応じてメダル排出口２７を介してメダルを排出する機能とを有している。
【００６１】
補助タンクは、メダル払出装置に隣接して配置され、メダル払出装置から溢れたメダルを貯留する機能を有している。  
電源制御装置３２は、外部から供給される電力を制御する機能と、上述した各部に電力を供給する機能とを有している。
【００６２】
このような構成のスロットマシン１０は、利用者が一回の遊技における最大賭け数のメダルをメダル投入口２４ａに投入する、あるいはＭＡＸＢＥＴボタン２４ｃを押下操作して、一回の遊技におけるメダルの最大賭け数をクレジットからセットし、スタートレバー２４ｅを操作すると、３つのリールが回転開始する。
【００６３】
その後、利用者が、３つのストップボタン２４ｆを任意のタイミングで押下することで、ストップボタン２４ｆに対応したリールが停止する。リールにプリントされた図柄が揃えば、図柄に応じてメダルがクレジットに貯留される、あるいはメダル排出口２７から排出される。このようにして、利用者は、スロットマシン１０における遊技を楽しむ。
【００６４】
引続き、上述した電源制御装置３２について、図２から図１０を用いて詳しく説明する。  
なお、図２は電源制御装置３２における前方上方からの外観斜視図を示し、図３は電源制御装置３２における後方上方からの外観斜視図を示し、図４はケース４０における構成要素の分解斜視図を示し、図５はケース本体４３と基板ユニット５０とを分解した分解斜視図を示している。
【００６５】
さらに、図６は基板ユニット５０における構成要素の分解斜視図を示し、図７は基板ユニット５０における構成要素の分解斜視図を示し、図８は基板ユニットにおける右側面視からの右側面図を示し、図９は図８中のＡ−Ａ矢視断面図を示し、図１０はケース本体４３に装着した状態におけるコネクタ６３近傍の縦断面図を示している。
【００６６】
電源制御装置３２は、図２及び図３に示すように、上下方向に長い正面視略矩形のボックス状であって、前面に電源スイッチ４１ｂが配置され、上面からコネクタ６３が露出するとともに、背面下部から電源コネクタ４６ｂが露出している。
【００６７】
より詳しくは、電源制御装置３２は、図４及び図５に示すように、ケース４０と、ケース４０の内部に固定した基板ユニット５０とで構成している。  
ケース４０は、図４に示すように、前面部分である前面パネル４１と、左側面部分である左側面パネル４２と、右側面部分、上面部分、底面部分、及び背面部分を一体形成したケース本体４３とで構成している。
【００６８】
前面パネル４１は、略平板状の平板の四辺を後方に折り返した立体形状に形成している。この前面パネル４１における折り返した上面、及び底面には、ケース本体４３に螺合するネジ１の挿通を許容するネジ挿通孔（図示省略）を形成している。
【００６９】
さらに、前面パネル４１における前面部分には、開閉可能で透明なスイッチカバー４１ａで覆われた電源スイッチ４１ｂを配置している。なお、電源スイッチ４１ｂは、複数の被覆電線の先端に設けたスイッチ用オス型コネクタ４１ｃを介して、後述する基板ユニット５０のスイッチ用メス型コネクタ６５に電気的に接続される。
【００７０】
左側面パネル４２は、略平板状の側面本体部４２ａと、側面本体部４２ａの上端から上方に延設した上方外縁部４２ｂと、前端から前方に延設した前方外縁部４２ｃとを一体にして形成している。  
側面本体部４２ａは、後述するケース本体４３における左側方の開口を閉塞可能な大きさに形成するとともに、ケース本体４３に螺合するネジ１の挿通を許容するネジ挿通孔（図示省略）を８つ形成している。
【００７１】
上方外縁部４２ｂは、側面本体部４２ａにおける前後方向Ｘの長さと略同等の長さで、上方に向けて所定の長さで延設している。この上方外縁部４２ｂには、筐体本体３０の内面に電源制御装置３２を固定するネジ（図示省略）の挿通を許容するネジ挿通孔（図示省略）を１つ開口形成している。
【００７２】
前方外縁部４２ｃは、側面本体部４２ａにおける上下方向の長さと略同等の長さで、前方に向けて所定の長さで延設している。この前方外縁部４２ｃには、筐体本体３０の内面に電源制御装置３２を固定するネジ（図示省略）の挿通を許容するネジ挿通孔（図示省略）を２つ開口形成している。
【００７３】
ケース本体４３は、図５に示すように、ケース４０の上面部分である上面部４４と、ケース４０の底面部分である底面部４５と、ケース４０の背面部分である背面部４６と、ケース４０の右側面部分である右側面部４７とを一体にして形成している。
【００７４】
上面部４４は、右側面部４７の上端から延設して形成している。この上面部４４には、前端から後方向Ｘｂに向けて開口形成した開口孔４４ａを備えている。この開口孔４４ａは、後述するコネクタ保持部７３の嵌合を許容する大きさで、前端が開口した端部開口孔形状に形成している。
【００７５】
さらに、上面部４４の左端には、左側面パネル４２と対面するとともに、ネジ１を介して左側面パネル４２の装着を許容するパネル装着部４４ｂを一体形成し、上面部４４の前端には、ネジ１を介して前面パネル４１の装着を許容する前端延設部４４ｃを一体形成している。
【００７６】
底面部４５は、右側面部４７の下端から延設して形成している。この底面部４５の左端には、左側面パネル４２と対面するとともに、ネジ１を介して左側面パネル４２の装着を許容するパネル装着部４５ａを一体形成し、底面部４５の前端には、ネジ１を介して前面パネル４１の装着を許容する前端延設部４５ｂを一体形成している。
【００７７】
背面部４６は、右側面部４７の後端から略垂直に折り曲げて形成した部分と、底面部４５の後端から略垂直に折り曲げて形成した部分とを組み合わせて形成している。さらに、背面部４６の左端には、左側面パネル４２と対面するとともに、ネジ１を介して左側面パネル４２の装着を許容するパネル装着部４６ａを一体形成している。
【００７８】
加えて、背面部４６における下方は、電源ケーブルの接続を許容する電源コネクタ４６ｂの先端を外部に露出させて装着可能に構成している。なお、電源コネクタ４６ｂは、複数の被覆電線の先端に設けた電源用オス型コネクタ４６ｃを介して、後述する基板ユニット５０の電源用メス型コネクタ６６に電気的に接続される。
【００７９】
右側面部４７は、所定の間隔を隔てて基板ユニット５０の取付けを許容する略平板状に形成している。この右側面部４７には、後述する基板ユニット５０の第１挿通孔６１ａに対応する位置に、後述するネジ２の螺合を許容する略柱状のスペーサ４７ａを５つ配置している（図１１参照）。
【００８０】
このスペーサ４７ａは、右側面部４７に予め開口形成した穴に対して圧入嵌合することで、右側面部４７との相対回転を不可にして一体的に組み付けている。  
このように上面部４４、底面部４５、背面部４６、及び右側面部４７で一体的に構成したケース本体４３は、左方向Ｙｌ、及び前方向Ｘｆが開口した形状に形成している。なお、ケース本体４３における前方向Ｘｆの開口を、基板ユニット５０の挿入を許容する挿入部４３ａとする。
【００８１】
基板ユニット５０は、図６及び図７に示すように、電子部品を実装した制御基板６０と、制御基板６０を覆うカバー体７０とで構成している。  
制御基板６０は、図６及び図７に示すように、回路パターン（図示省略）やスルーホール（図示省略）などが形成されたプリント配線基板６１と、プリント配線基板６１に実装したコネクタ６３や電気部品などで構成している。
【００８２】
より詳しくは、プリント配線基板６１は、所定の厚みを有する側面視略矩形の平板であって、前方下端及び後方下端の隅部を略矩形に切断した形状に形成している。そして、左右方向Ｙにおいて、プリント配線基板６１における左側面パネル４２と対面する第１の面６２に、コネクタ６３、第１電気部品６４、スイッチ用メス型コネクタ６５、電源用メス型コネクタ６６、及び放熱板６７などを実装し、プリント配線基板６１における右側面部４７と対面する第２の面６８に、第２電気部品６９を実装して、制御基板６０を構成している。
【００８３】
さらに、制御基板６０には、スペーサ４７ａに螺合するネジ２の挿通を許容する５つの第１挿通孔６１ａと、カバー体７０に螺合するネジ３の挿通を許容する３つの第２挿通孔６１ｂを形成している。
【００８４】
第１挿通孔６１ａは、上下方向の上端近傍において、前後方向Ｘの略中央よりやや前方及び後端近傍にそれぞれ１つずつ並置し、上下方向の略中央において、前後方向Ｘの略中央に１つ配置し、上下方向の略中央より下方において、前後方向Ｘの後端近傍に１つ配置し、上下方向の下端近傍において前後方向の前端近傍に１つ配置している。
【００８５】
一方、第２挿通孔６１ｂは、上下方向の上端近傍よりやや下方において、前後方向Ｘの前端に１つ配置し、上端後方近傍の第１挿通孔６１ａの下方に１つ配置し、上下方向の下端において、前後方向Ｘの後端に１つ配置している。
【００８６】
コネクタ６３は、プリント配線基板６１における上端及び前端近傍において、内部に保持した複数の端子を露出させる開口を上方に向けて配置している。なお、端子の他端は、プリント配線基板６１に設けたスルーホールを介して第２の面６８にその先端が露出するとともに、第２の面６８にハンダ付けされている。
【００８７】
第１電気部品６４は、電解コンデンサや、抵抗器、トランス、半導体ＩＣなどである。なお、第１電気部品６４は、スルーホールを介して第２の面６８に突出した足を、第２の面６８に設けた回路パターンにハンダ付けによって導通可能に接続している。  
第２電気部品６９は、左右方向Ｙにおける厚みが薄い半導体ＩＣなどである。なお、第２電気部品６９は、第２の面６８に設けた回路パターンにハンダ付けによる表面実装によって導通可能に接続している。
【００８８】
第１電気部品６４は、電解コンデンサや、抵抗器、トランス、半導体ＩＣなどである。  
第２電気部品６９は、左右方向Ｙにおける厚みが薄い半導体ＩＣなどである。
【００８９】
カバー体７０は、図６から図１０に示すように、透過性の合成樹脂で形成され、第２の面６８に対して、第２電気部品６９が接触しない間隔を隔てて対向する略平板状のカバー平面部７１と、カバー平面部７１の外縁から制御基板６０側へ延設したカバー側壁部７２と、カバー平面部７１から制御基板６０側へ延設したコネクタ保持部７３とを一体にして形成している。
【００９０】
カバー平面部７１は、平面視において、制御基板６０における第２の面６８と略同等の形状、及び大きさに形成している。さらに、カバー平面部７１には、第１挿通孔６１ａに対応する位置において、制御基板６０に向けて略円柱状に立設するとともに、ネジ２の挿通を許容する５つのネジ挿通部７４を形成している。
【００９１】
加えて、カバー平面部７１には、第２挿通孔６１ｂに対応する位置において、左右方向Ｙに向けて両面から略円柱状に立設するとともに、ネジ３の螺合を許容する３つのネジ取付部７５を形成している。  
カバー側壁部７２は、図９に示すように、プリント配線基板６１の側部６１ｃを全て囲繞するように、カバー平面部７１の外縁に沿って形成している。
【００９２】
また、左右方向Ｙにおいて、右側面部４７と対面するカバー平面部７１の面には、図７及び図８に示すように、３つの第１挿通孔６１ａに対応する位置に、外方に向けて突出した３つの突起部７６を形成している。
【００９３】
より詳しくは、突起部７６は、上下方向の上端近傍で前後方向Ｘの略中央よりやや前方に位置する第１挿通孔６１ａ、上下方向の略中央より下方で後端近傍に位置する第１挿通孔６１ａ、上下方向の下端近傍で前端近傍に位置する第１挿通孔６１ａに対応する位置に形成している。つまり、突起部７６は、上下方向及び前後方向Ｘにおいて、それぞれ異なる位置に配置している。
【００９４】
この突起部７６は、図８及び図１０に示すように、後方向Ｘｂ側が開口した断面略Ｙ字状に形成している。突起部７６は、後方向Ｘｂ側の開口をスペーサ４７ａの挿入を許容する挿入口７６ａとして、上下方向で対向する面でスペーサ４７ａを挟持するように形成している（図１３参照）。なお、突起部７６は、スペーサ４７ａの軸方向長さより短い長さで、カバー平面部７１から突出して形成している。
【００９５】
コネクタ保持部７３は、図７及び図１０に示すように、カバー平面部７１の上端前方近傍において、コネクタ６３に対応する位置に形成している。このコネクタ保持部７３は、コネクタ６３の外周を囲繞する囲繞部７３ａと、囲繞部７３ａの外周面から外方に向けて突出したフランジ部７３ｂと、囲繞部７３ａとカバー平面部７１とを連結して支持する支持部７３ｃを一体構成している。
【００９６】
囲繞部７３ａは、上面部４４の開口孔４４ａと略同等で嵌合可能な大きさの外形に形成している。さらに、囲繞部７３ａは、コネクタ６３の外形と略同等の大きさで開口形成するとともに、コネクタ６３を保持するコネクタ開口孔７３ｄを備えている。
【００９７】
フランジ部７３ｂは、囲繞部７３ａにおける上面部４４の内面に近接する位置において、開口孔４４ａの外形より大きい大きさの略平板状に形成している。  
支持部７３ｃは、上下方向において、フランジ部７３ｂと略同位置に形成するとともに、フランジ部７３ｂと一体的に形成している。
【００９８】
以上のような構成の電源制御装置３２において、制御基板６０とカバー体７０とを組付ける工程、及び基板ユニット５０とケース４０とを組付ける工程について、図１１から図１３を用いて詳しく説明する。
【００９９】
なお、図１１はケース４０に基板ユニット５０を装着する第１工程を説明する説明図を示し、図１２はケース４０に基板ユニット５０を装着する第２工程を説明する説明図を示し、図１３はケース４０に基板ユニット５０を装着した状態を説明する説明図を示している。
【０１００】
まず、制御基板６０をカバー体７０に装着する。より詳しくは、制御基板６０のコネクタ６３を、コネクタ開口孔７３ｄに対して下方から挿入する。そして、コネクタ６３とコネクタ開口孔７３ｄとの接触箇所を支点にして、制御基板６０の下端を回転させながら、制御基板６０をカバー体７０に装着する。
【０１０１】
この際、カバー体７０のカバー側壁部７２が、プリント配線基板６１の側部６１ｃを隙間なく覆うように、制御基板６０をカバー体７０に装着する。そして、カバー体７０に制御基板６０を装着すると、３つのネジ３を制御基板６０の第２挿通孔６１ｂに挿通するとともに、カバー体７０のネジ取付部７５に螺合して、制御基板６０とカバー体７０とを締結し、基板ユニット５０を構成する。
【０１０２】
その後、基板ユニット５０をケース本体４３に装着する。より詳しくは、図１１に示すように、カバー体７０を右方向Ｙｒに向けた基板ユニット５０を、挿入部４３ａから後方向Ｘｂに向けてケース本体４３に挿入する。この際、図１０及び図１２に示すように、フランジ部７３ｂが上面部４４の内面側に位置するようにして、コネクタ保持部７３の囲繞部７３ａをケース４０の開口孔４４ａに嵌合させながら挿入する。
【０１０３】
さらに、後方向Ｘｂに向けて基板ユニット５０を挿入すると、図１３に示すように、突起部７６に対して、スペーサ４７ａが挿入口７６ａを介して嵌合して、制御基板６０の第１挿通孔６１ａと、カバー平面部７１のネジ挿通部７４と、スペーサ４７ａとが側面視において略一致する。
【０１０４】
この状態において、第１挿通孔６１ａを介してネジ２をスペーサ４７ａに螺合することで、ケース本体４３に対して基板ユニット５０を締結する。ケース本体４３と基板ユニット５０とを締結したのち、電源用オス型コネクタ４６ｃを制御基板６０の電源用メス型コネクタ６６に接続する。
【０１０５】
その後、ケース本体４３の挿入部４３ａを閉塞するように、前面パネル４１を被せて、ネジ１で、ケース本体４３と前面パネル４１とを締結する。そして、スイッチ用オス型コネクタ４１ｃを制御基板６０のスイッチ用メス型コネクタ６５に接続する。
【０１０６】
さらに、ケース本体４３に対して左側面パネル４２を被せて、ネジ１でケース本体４３と左側面パネル４２とを締結して電源制御装置３２を構成する。このようにして組み付けた電源制御装置３２を筐体本体３０の所定の位置に固定する。
【０１０７】
以上のような構成を実現する電源制御装置３２、スロットマシン１０、及び電源制御装置３２の組付け方法は、制御基板６０とケース４０との組付け性を向上することができる。  
具体的には、ケース４０に対して制御基板６０を後方向Ｘｂに沿って挿入すると、突起部７６が挿入口７６ａを介してスペーサ４７ａに嵌合するため、電源制御装置３２、及び電源制御装置３２の組付け方法は、ケース４０に対する制御基板６０の相対位置を容易に合わせることができる。
【０１０８】
これにより、電源制御装置３２、及び電源制御装置３２の組付け方法は、ケース４０に対する制御基板６０の位置決めを容易にすることができる。このため、電源制御装置３２、及び電源制御装置３２の組付け方法は、スペーサ４７ａの位置が視認できない場合であっても、ケース４０の右側面部４７に対する制御基板６０の装着を容易にすることができる。
【０１０９】
さらに、ネジ２が螺合するスペーサ４７ａに突起部７６を嵌合させることにより、電源制御装置３２、及び電源制御装置３２の組付け方法は、制御基板６０の第１挿通孔６１ａと、スペーサ４７ａとを容易に略一致させることができる。このため、電源制御装置３２、及び電源制御装置３２の組付け方法は、ネジ２を螺合するスペーサ４７ａと、突起部７６を嵌合させるスペーサ４７ａとを、別々に設けることを不要できる。
【０１１０】
加えて、突起部７６によってケース４０に対する制御基板６０の位置決めが容易であるため、例えば、制御基板６０に不具合が生じた際、電源制御装置３２、及び電源制御装置３２の組付け方法は、制御基板６０の交換を容易にすることができる。  
従って、電源制御装置３２、及び電源制御装置３２の組付け方法は、突起部７６とスペーサ４７ａとによって、制御基板６０とケース４０との組付け性を向上することができる。
【０１１１】
また、カバー体７０と制御基板６０とで基板ユニット５０を構成し、突起部７６をカバー体７０に備えるとともに、スペーサ４７ａをケース４０の右側面部４７に備えたことにより、電源制御装置３２は、制御基板６０の第２の面６８が損傷することを防止できる。
【０１１２】
より詳しくは、例えば、カバー体７０がない状態で、スペーサ４７ａと制御基板６０との相対位置を合わせる際、第２の面６８と、視認が困難なスペーサ４７ａとが接触することで、回路パターンなどが損傷するおそれがある。
【０１１３】
これに対して、制御基板６０とカバー体７０とで基板ユニット５０を構成することにより、電源制御装置３２は、第２の面６８をカバー体７０で保護することができる。これにより、挿入部４３ａから後方向Ｘｂに沿って基板ユニット５０を挿入しても、電源制御装置３２は、第２の面６８がスペーサ４７ａと直接的に接触することを防止できる。
【０１１４】
このため、電源制御装置３２は、第２の面６８の回路パターンなどの損傷を防止することができる。  
従って、電源制御装置３２は、制御基板６０の損傷を防止するとともに、制御基板６０とケース４０との組付け性を向上することができる。
【０１１５】
また、ケース本体４３の上面部４４に開口孔４４ａを備え、開口孔４４ａに対して後方向Ｘｂに沿って嵌合するコネクタ保持部７３をカバー体７０に備えたことにより、電源制御装置３２は、開口孔４４ａとコネクタ保持部７３との嵌合によって、ケース４０と基板ユニット５０の位置決めを行うことができる。さらに、開口孔４４ａとコネクタ保持部７３との嵌合によって、左右方向Ｙへの基板ユニット５０の移動を規制することができる。
【０１１６】
これにより、電源制御装置３２は、制御基板６０とケース４０との相対位置のズレを小さくするとともに、基板ユニット５０と右側面部４７との位置決めをより容易にすることができる。  
従って、電源制御装置３２は、突起部７６及びスペーサ４７ａによる位置決めに加えて、開口孔４４ａ及びコネクタ保持部７３による位置決めによって、制御基板６０とケース４０との組付け性をさらに向上することができる。
【０１１７】
また、コネクタ保持部７３をカバー体７０に備え、開口孔４４ａを上面部４４に備えるとともに、前方向Ｘｆの端部が開口する端部開口孔で構成したことにより、上面部４４、が、スペーサ４７ａが配置された右側面部４７と異なる仮想平面上に位置するため、電源制御装置３２は、ケース４０と、基板ユニット５０とを多面で位置決めすることができる。
【０１１８】
さらに、開口孔４４ａを端部開口孔としたことにより、コネクタ保持部７３と開口孔４４ａとが嵌合したのち、突起部７６とスペーサ４７ａとが嵌合するため、電源制御装置３２は、コネクタ保持部７３と開口孔４４ａとが、突起部７６とスペーサ４７ａとの挿入ガイドとなるとともに、基板ユニット５０の移動を規制することができる。
【０１１９】
これにより、電源制御装置３２は、基板ユニット５０とケース４０との位置決めをさらに容易にすることができる。  
従って、電源制御装置３２は、開口孔４４ａを端部開口孔で構成したことにより、制御基板６０とケース４０との組付け性をさらに向上することができる。
【０１２０】
また、囲繞部７３ａとフランジ部７３ｂと支持部７３ｃとで一体形成したコネクタ保持部７３におけるフランジ部７３ｂを開口孔４４ａの大きさよりも大きい外形で形成したにより、電源制御装置３２は、上面部４４の内面側とフランジ部７３ｂとが対面するように、フランジ部７３ｂの位置を合せながら基板ユニット５０を挿入することができる。
【０１２１】
つまり、視認が容易なフランジ部７３ｂによって基板ユニット５０とケース４０との相対位置を合わせることができる。これにより、電源制御装置３２は、コネクタ保持部７３と開口孔４４ａとの位置合わせによって、視認困難なスペーサ４７ａと突起部７６との位置決めをより容易にすることができる。
【０１２２】
さらに、フランジ部７３ｂは、右側面部４７に対する基板ユニット５０の相対移動を規制することができる。このため、電源制御装置３２は、コネクタ保持部７３及び突起部７６によって、基板ユニット５０とケース４０との相対位置をより容易に、かつ確実に合わせることができる。  
従って、電源制御装置３２は、フランジ部７３ｂを有するコネクタ保持部７３によって、基板ユニット５０とケース４０との組付け性をさらに向上することができる。
【０１２３】
また、コネクタ保持部７３にコネクタ６３の挿通を許容するとともに保持するコネクタ開口孔７３ｄを備えたことにより、コネクタ保持部７３は、コネクタ６３を保持して外部への導出する役割と、ケース４０と基板ユニット５０との位置決めを行う役割とを兼ね備えることができる。
【０１２４】
さらに、制御基板６０に実装したコネクタ６３を保持しているため、コネクタ６３に対して意図しない外力が加わった場合であっても、カバー体７０は、コネクタ６３が損傷することをコネクタ保持部７３によって防止できる。  
従って、電源制御装置３２は、コネクタ開口孔７３ｄを有するコネクタ保持部７３によって、制御基板６０とケース４０との組付け性を損なうことなく、コネクタ６３を保護しながら外部に導出することができる。
【０１２５】
また、３つの突起部７６を上下方向に配置したことにより、電源制御装置３２は、基板ユニット５０とケース４０との位置決めをより確実に行うことができる。  
より詳しくは、複数のスペーサ４７ａの１つに対して１つの突起部７６で位置決めを行う場合、突起部７６が嵌合したスペーサ４７ａを軸にして制御基板６０が回転するおそれがある。このため、制御基板６０と右側面部４７とをネジ２で締結する場合、制御基板６０とスペーサ４７ａとの相対位置が合わず、組付け性が低下するおそれがある。
【０１２６】
これに対して、上下方向に３つの突起部７６を配置することにより、電源制御装置３２は、スペーサ４７ａを軸にして制御基板６０が回転することを防止できる。さらに、３つの突起部７６がスペーサ４７ａと嵌合することによって、電源制御装置３２は、ケース４０に対して制御基板６０が上下方向へ移動することを規制できる。
【０１２７】
これにより、電源制御装置３２は、制御基板６０とケース４０との位置決めをより確実に行うことができる。  
従って、電源制御装置３２は、３カ所で位置決めすることで、制御基板６０とケース４０との組付け性をより向上することができる。
【０１２８】
また、カバー体７０に制御基板６０の側部６１ｃを一体的に囲繞するカバー側壁部７２を備えたことにより、カバー体７０は、制御基板６０の第２の面６８を隙間なく覆うことができる。このため、基板ユニット５０は、対面している制御基板６０とカバー体７０との間に、埃や異物などの侵入を阻止することができる。これにより、基板ユニット５０は、埃などの付着による制御基板６０の短絡を防止することができる。
【０１２９】
さらに、第２の面６８に実装した第２電気部品６９が脱落しても、基板ユニット５０は、カバー体７０と制御基板６０とで囲われた空間内に、第２電気部品６９を留まらせることができる。このため、例えば、基板ユニット５０を軽く揺するだけで異音が発生し、第２電気部品６９が脱落したことを容易に検出することができる。
【０１３０】
これにより、基板ユニット５０は、例えば輸送したとしても、制御基板６０の損傷を防止するとともに、脱落などの不具合を容易に検出できる。このため、電源制御装置３２は、制御基板６０とカバー体７０とを組付ける工程、及びケース４０と基板ユニット５０とを組付ける工程を、異なる場所で行うことができる。
【０１３１】
従って、電源制御装置３２は、カバー側壁部７２を備えたカバー体７０によって、制御基板６０の損傷をより確実に防止するとともに、損傷した制御基板６０がケース４０に組付けられることを確実に防止できる。
【０１３２】
また、電源制御装置３２を筐体本体３０に配置したことにより、制御基板６０とケース４０との組付け性を向上した電源制御装置３２によって、組付け性を向上するとともに、安定した遊技を行うことができるスロットマシン１０を構成することができる。
【０１３３】
この発明の構成と、上述の実施形態との対応において、
この発明の電気部品は、実施形態の第１電気部品６４、及び第２電気部品６９に対応し、
以下同様に、
遊技機は、スロットマシン１０に対応し、
基板取付部は、右側面部４７に対応し、
基板収納箱は、ケース４０に対応し、
制御装置は、電源制御装置３２に対応し、
対向方向は、左右方向Ｙに対応し、
挿入方向は、後方向Ｘｂに対応し、
制御基板における基板取付部と対向する面は、第２の面６８に対応し、
挿入方向の側部は、ケース４０の前面部分に対応し、
収納箱側面部は、上面部４４に対応し、
嵌合部は、コネクタ保持部７３に対応し、
嵌合本体部分は、囲繞部７３ａに対応し、
フランジ部分は、フランジ部７３ｂに対応し、
支持部分は、支持部７３ｃに対応し、
交差方向は、上下方向に対応し、
制御基板の側部は、制御基板６０の側部６１ｃに対応し、
筐体は、筐体本体３０に対応するが、
この発明は、上述の実施形態の構成のみに限定されるものではなく、多くの実施の形態を得ることができる。
【０１３４】
例えば、上述の実施形態では、電源制御装置３２について説明したが、これに限定せず、メイン制御装置、サブ制御装置、あるいは液晶制御装置であってもよい。  
また、カバー体７０に突起部７６を形成し、右側面部４７にスペーサ４７ａを設けたが、これに限定せず、カバー体７０に右側面部４７に向けて延びるスペーサを形成し、右側面部４７に突起部を設けてもよい。
【０１３５】
あるいは、制御基板６０における第２の面６８に突起部を設けて、右側面部４７のスペーサ４７ａに嵌合する構成としてもよい。もしくは、制御基板６０における第２の面にスペーサを設けて、右側面部４７に突起部を設けてもよい。
【０１３６】
また、突起部７６を断面略Ｙ字状としたが、これに限定せず、スペーサ４７ａが嵌合する形状であれば、別の突起部の形状を説明する説明図を示す図１４のように、断面略Ｖ字状（図１４（ａ）参照）、断面視略Ｕ字状（図１４（ｂ）参照）、断面略Ｊ字状（図１４（ｃ）参照）、あるいは断面略コ字状（図１４（ｄ）参照）であってもよい。
【０１３７】
さらに、図１４（ｅ）に示すように、断面略Ｃ字状に形成するとともに、挿入口７６ａ側に係止部７６ｂを有する突起部７６としてもよい。この断面略Ｃ字状の突起部７６は、図１４（ｆ）に示すように、上下方向から見て挿入口７６ａ側におけるカバー平面部７１側を切欠くことで、弾性を有する係止部７６ｂを形成している。
【０１３８】
つまり、断面略Ｃ字状の突起部７６は、スペーサ４７ａに対して嵌合係止可能に形成している。これにより、電源制御装置３２は、制御基板６０と右側面部４７とを締結するネジ２を不要にすることができる。
【０１３９】
また、カバー体７０を絶縁性及び透過性を有する合成樹脂製としたが、これに限定せず、絶縁性を有するセラミック製のカバー体などとしてもよい。  
また、カバー平面部７１とカバー側壁部７２とによって、制御基板６０の第２の面６９を隙間なく覆う構成のカバー体７０としたが、これに限定せず、カバー側壁部に適宜の開口を設けたカバー体であってもよい。
【０１４０】
また、カバー体７０を、プリント配線基板６１の側部６１ｃを全て囲繞するような形状に形成したが、これに限定せず、第２の面６８に当接して装着可能に形成するとともに、第２の面６８を覆う形状に形成したカバー体としてもよい。  
あるいは、第２の面６８と対面する略平板状の平面部と、平面部の装着を許容するとともに、第２の面６８に装着可能に形成した支持台とを別体で構成したカバー体としてもよい。もしくは、プリント配線基板６１の周縁を折り曲げて立設した部分に装着するカバー体としてもよい。  
また、突起部７６をスペーサ４７ａの軸方向長さより短い長さで形成したが、これに限定せず、突起部７６とスペーサ４７ａとを同じ長さで形成してもよい。
【０１４１】
また、コネクタ６３を保持するとともに、開口孔４４ａに嵌合するコネクタ保持部７３としたが、これに限定せず、開口孔４４ａに嵌合する構成であれば、コネクタ６３を保持しない構成としてもよい。
【０１４２】
また、コネクタ６３を保持するコネクタ保持部７３としたが、これに限定せず、例えば、第１の面６２に実装した第１電気部品６４を覆うように、フランジ部７３ｂをさらに延設したコネクタ保持部７３としてもよい。これにより、基板ユニット５０は、第２の面６２を保護するだけでなく、第１の面６４に実装した第１電気部品６４も保護することができる。
【０１４３】
また、上面部４４に開口孔４４ａを形成したが、これに限定せず、ケースに設けた開口孔に対して嵌合することで、多面で位置決めできる構成であれば、ケースやコネクタの構成などに応じて適宜の位置に開口孔を形成してもよい。
【０１４４】
例えば、上面部分、底面部分、背面部分、基板ユニット５０を装着する右側面部分、及び右側面部分と対向する左側面部分を一体形成したケース本体と、前面パネル４１とでケース４０を構成する。この際、前面パネル４１を取り外して形成される開口を挿入部とする。
【０１４５】
そして、左側面部分から露出するようにコネクタをプリント配線基板に実装し、左側面部分における前端に開口孔を形成する。この左側面部分に形成した開口孔に対して、コネクタを保持するコネクタ保持部を嵌合させるようにしてもよい。  
あるいは、カバー体に開口孔を形成し、ケース本体４３に開口孔に嵌合する嵌合部を備えてもよい。
【０１４６】
また、ケース本体４３に設けた開口孔４４ａに、基板ユニット５０のコネクタ保持部７３を嵌合する構成としたが、これに限定せず、カバー体に開口孔を形成し、ケース本体４３に開口孔に嵌合する嵌合部を備えてもよい。
【産業上の利用可能性】
【０１４７】
本発明は、スロットマシンの電源制御装置に限らず、パチンコ機などの遊技ホールに設置される遊技機における各種制御装置に適用することができる。
【符号の説明】
【０１４８】
１０…スロットマシン
３０…筐体本体
３２…電源制御装置
４０…ケース
４３ａ…挿入部
４４…上面部
４４ａ…開口孔
４７…右側面部
４７ａ…スペーサ
５０…基板ユニット
６０…制御基板
６１ｃ…側部
６３…コネクタ
６４…第１電気部品
６８…第２の面
６９…第２電気部品
７０…カバー体
７２…カバー側壁部
７３…コネクタ保持部
７３ａ…囲繞部
７３ｂ…フランジ部
７３ｃ…支持部
７３ｄ…コネクタ開口孔
７６…突起部
７６ａ…挿入口
Ｘｂ…後方向
Ｙ…左右方向